(57)【要約】【課題】補正の対象となる目標搬送量がノズル列の搬送方向の長さよりも長い場合であっても、その目標搬送量を補正するための補正値の決定を可能にする。【解決手段】本発明では、所定間隔で並ぶ複数のノズルからなるノズル列の搬送方向上流側のノズルによって第１パターンを媒体に形成し、ノズル列の搬送方向の長さよりも短い目標搬送量にて媒体を搬送方向に搬送し、ノズル列の搬送方向下流側のノズルによって第１パターンと境界を形成する第２パターンを媒体に形成するとともに、ノズル列の搬送方向上流側のノズルによって第３パターンを媒体に形成し、第１パターンを形成してからの媒体の搬送量がノズル列の搬送方向の長さよりも長くなるように、ノズル列の搬送方向の長さよりも短い目標搬送量にて媒体を搬送方向に搬送し、ノズル列の搬送方向下流側のノズルによって第３パターンと境界を形成する第４パターンを媒体に形成する。【選択図】  図１４
2007062162.tif 000002
【特許請求の範囲】
【請求項１】
媒体を搬送方向の所定の位置に搬送し、
所定間隔で並ぶ複数のノズルからなるノズル列の搬送方向上流側のノズルによって第１パターンを前記媒体に形成し、
前記第１パターンの形成後、前記ノズル列の前記搬送方向の長さよりも短い目標搬送量にて前記媒体を前記搬送方向に搬送し、
前記ノズル列の搬送方向下流側のノズルによって前記第１パターンと境界を形成する第２パターンを前記媒体に形成するとともに、前記ノズル列の搬送方向上流側のノズルによって第３パターンを前記媒体に形成し、
前記第２パターンの形成後、前記第１パターンを形成してからの前記媒体の搬送量が前記ノズル列の前記搬送方向の長さよりも長くなるように、前記ノズル列の前記搬送方向の長さよりも短い目標搬送量にて前記媒体を前記搬送方向に搬送し、
前記ノズル列の搬送方向下流側のノズルによって前記第３パターンと境界を形成する第４パターンを前記媒体に形成する、
ことを特徴とする目標搬送量を補正するためのテストシートの製造方法。
【請求項２】
請求項１に記載のテストシートの製造方法であって、
前記媒体を搬送する際には、搬送ローラを回転させており、
前記ノズル列の前記搬送方向の長さが、前記搬送ローラの周面よりも短い。
【請求項３】
請求項１又は２に記載のテストシートの製造方法であって、
前記媒体を搬送する際には、搬送ローラを回転させており、
前記第１パターンを形成してから前記第３パターンを形成するまでに行われる前記媒体の搬送量は、前記搬送ローラのほぼ１回転分に相当する。
【請求項４】
請求項３に記載のテストシートの製造方法であって、
前記第１パターンを形成してから前記第２パターンを形成するまでに行われる前記媒体の搬送量は、前記搬送ローラのほぼ半回転分に相当する。
【請求項５】
請求項１〜４のいずれかに記載のテストシートの製造方法であって、
前記第１パターンを形成するノズルと、前記第３パターンを形成するノズルとが共通し、
前記第２パターンを形成するノズルと、前記第４パターンを形成するノズルとが共通する。
【請求項６】
請求項１〜５のいずれかに記載のテストシートの製造方法であって、
前記境界は、前記ノズル列の移動する移動方向と交差する方向に形成される。
【請求項７】
請求項６に記載のテストシートの製造方法であって、
前記第１パターンと前記第２パターンとの境界の方向と、前記第３パターンと前記第４パターンとの境界の方向は、交差する。
【請求項８】
媒体を搬送方向の所定の位置に搬送し、
所定間隔で並ぶ複数のノズルからなるノズル列の搬送方向上流側のノズルによって第１パターンを前記媒体に形成し、
前記第１パターンの形成後、前記ノズル列の前記搬送方向の長さよりも短い目標搬送量にて前記媒体を前記搬送方向に搬送し、
前記ノズル列の搬送方向下流側のノズルによって前記第１パターンと境界を形成する第２パターンを前記媒体に形成するとともに、前記ノズル列の搬送方向上流側のノズルによって第３パターンを前記媒体に形成し、
前記第２パターンの形成後、前記第１パターンを形成してからの前記媒体の搬送量が前記ノズル列の前記搬送方向の長さよりも長くなるように、前記ノズル列の前記搬送方向の長さよりも短い目標搬送量にて前記媒体を前記搬送方向に搬送し、
前記ノズル列の搬送方向下流側のノズルによって前記第３パターンと境界を形成する第４パターンを前記媒体に形成する、
目標搬送量を補正するためのテストシートの製造方法であって、
前記媒体を搬送する際には、搬送ローラを回転させており、前記ノズル列の前記搬送方向の長さが、前記搬送ローラの周面よりも短く、
前記第１パターンを形成してから前記第３パターンを形成するまでに行われる前記媒体の搬送量は、前記搬送ローラのほぼ１回転分に相当し、
前記第１パターンを形成してから前記第２パターンを形成するまでに行われる前記媒体の搬送量は、前記搬送ローラのほぼ半回転分に相当し、
前記第１パターンを形成するノズルと、前記第３パターンを形成するノズルとが共通し、
前記第２パターンを形成するノズルと、前記第４パターンを形成するノズルとが共通し、
前記境界は、前記ノズル列の移動する移動方向と交差する方向に形成され、
前記第１パターンと前記第２パターンとの境界の方向と、前記第３パターンと前記第４パターンとの境界の方向は、交差する。
【請求項９】
媒体を搬送方向の所定の位置に搬送し、
所定間隔で並ぶ複数のノズルからなるノズル列の搬送方向上流側のノズルによって第１パターンを前記媒体に形成し、
前記第１パターンの形成後、前記ノズル列の前記搬送方向の長さよりも短い目標搬送量にて前記媒体を前記搬送方向に搬送し、
前記ノズル列の搬送方向下流側のノズルによって前記第１パターンと境界を形成する第２パターンを前記媒体に形成するとともに、前記ノズル列の搬送方向上流側のノズルによって第３パターンを前記媒体に形成し、
前記第２パターンの形成後、前記第１パターンを形成してからの前記媒体の搬送量が前記ノズル列の前記搬送方向の長さよりも長くなるように、前記ノズル列の前記搬送方向の長さよりも短い目標搬送量にて前記媒体を前記搬送方向に搬送し、
前記ノズル列の搬送方向下流側のノズルによって前記第３パターンと境界を形成する第４パターンを前記媒体に形成し、
前記第１パターンと前記第２パターンとの境界と、前記第３パターンと前記第４パターンとの境界と、に基づいて、目標搬送量に対する補正値を決定する
ことを特徴とする補正値の決定方法。
【請求項１０】
請求項９に記載の補正値の決定方法であって、
前記第１パターンから第４パターンを備える補正用パターンを複数形成し、
複数の前記補正用パターンの中から、前記第１パターンと前記第２パターンとの境界の状態に基づいて第１の補正用パターンを選択し、
複数の前記補正用パターンの中から、前記第１パターンと前記第２パターンとの境界の状態に基づいて第２の補正用パターンを選択し、
前記第１の補正用パターンと前記第２の補正用パターンとに基づいて、前記補正値を決定する。
【請求項１１】
請求項１０に記載の補正値の決定方法であって、
前記第１の補正用パターンの対応する補正値と、前記第２の補正用パターンの対応する補正値と、の間の値を、前記補正値として決定する。
【請求項１２】
請求項１１に記載の補正値の決定方法であって、
複数の前記補正用パターンは、所定方向に沿って並んでおり、
前記第１の補正用パターンを選択する際には、前記所定方向の一方向から順に、複数の前記補正用パターンを検査し、
前記第２の補正用パターンを選択する際には、逆方向から順に、複数の前記補正用パターンを検査する。
【請求項１３】
媒体を搬送方向の所定の位置に搬送し、
所定間隔で並ぶ複数のノズルからなるノズル列の搬送方向上流側のノズルによって第１パターンを前記媒体に形成し、
前記第１パターンの形成後、前記ノズル列の前記搬送方向の長さよりも短い目標搬送量にて前記媒体を前記搬送方向に搬送し、
前記ノズル列の搬送方向下流側のノズルによって前記第１パターンと境界を形成する第２パターンを前記媒体に形成するとともに、前記ノズル列の搬送方向上流側のノズルによって第３パターンを前記媒体に形成し、
前記第２パターンの形成後、前記第１パターンを形成してからの前記媒体の搬送量が前記ノズル列の前記搬送方向の長さよりも長くなるように、前記ノズル列の前記搬送方向の長さよりも短い目標搬送量にて前記媒体を前記搬送方向に搬送し、
前記ノズル列の搬送方向下流側のノズルによって前記第３パターンと境界を形成する第４パターンを前記媒体に形成し、
前記第１パターンと前記第２パターンとの境界と、前記第３パターンと前記第４パターンとの境界と、に基づいて、目標搬送量に対する補正値を決定し、
印刷を行うため前記媒体を搬送する際に、目標搬送量を補正し、補正された前記目標搬送量に応じて前記媒体を搬送する
ことを特徴とする印刷方法。
【請求項１４】
媒体を搬送方向の所定の位置に搬送する搬送ユニットと、
目標搬送量に応じて前記搬送ユニットに前記媒体を搬送させ、所定間隔で並ぶ複数のノズルからなるノズル列からインクを吐出させるコントローラと、
を備える印刷システムであって、
前記コントローラは、
前記ノズル列の搬送方向上流側のノズルによって第１パターンを前記媒体に形成し、
前記第１パターンの形成後、前記ノズル列の前記搬送方向の長さよりも短い目標搬送量にて前記媒体を前記搬送方向に搬送し、
前記ノズル列の搬送方向下流側のノズルによって前記第１パターンと境界を形成する第２パターンを前記媒体に形成するとともに、前記ノズル列の搬送方向上流側のノズルによって第３パターンを前記媒体に形成し、
前記第２パターンの形成後、前記第１パターンを形成してからの前記媒体の搬送量が前記ノズル列の前記搬送方向の長さよりも長くなるように、前記ノズル列の前記搬送方向の長さよりも短い目標搬送量にて前記媒体を前記搬送方向に搬送し、
前記ノズル列の搬送方向下流側のノズルによって前記第３パターンと境界を形成する第４パターンを前記媒体に形成する、
ことを特徴とする印刷システム。
【請求項１５】
所定間隔で並ぶ複数のノズルからなるノズル列の搬送方向上流側のノズルによって媒体上に形成された第１パターンと、
前記第１パターンの形成後に前記ノズル列の前記搬送方向の長さよりも短い目標搬送量にて前記媒体を前記搬送方向に搬送した後、前記ノズル列の搬送方向下流側のノズルによって前記媒体上に形成され、前記第１パターンと境界を形成する第２パターンと、
前記第２パターンの形成時に、前記ノズル列の搬送方向上流側のノズルによって形成された第３パターンと、
前記第２パターンの形成後に前記第１パターンを形成してからの前記媒体の搬送量が前記ノズル列の前記搬送方向の長さよりも長くなるように、前記ノズル列の前記搬送方向の長さよりも短い目標搬送量にて前記媒体を前記搬送方向に搬送した後、前記ノズル列の搬送方向下流側のノズルによって前記媒体上に形成され、前記第３パターンと境界を形成する第４パターンと、
を有することを特徴とするテストシート。
【発明の詳細な説明】
【技術分野】
【０００１】
本発明は、テストシート製造方法、補正値決定方法、印刷方法、印刷システム及びテストシートに関する。
【背景技術】
【０００２】
インクジェットプリンタなどの印刷装置では、移動するヘッドからインクを吐出させて媒体（紙、布、ＯＨＰ用紙など）にドットを形成するドット形成処理と、媒体を搬送方向に搬送する搬送処理とを交互に繰り返して、媒体に印刷画像を印刷する。このような印刷装置には、搬送処理を行うための搬送ローラが設けられている。そして、搬送ローラが所定の回転量で回転すると、媒体が所定の搬送量で搬送される。
【０００３】
但し、搬送処理の際に、目標となる搬送量（目標搬送量）に応じた回転量で搬送ローラが回転されても、目標通りの搬送量で媒体が搬送されないことがある。そこで、このような搬送誤差を軽減するため、目標搬送量を補正することが行われている。更に、搬送処理時に用いられる搬送ローラの周面の場所に応じて搬送誤差が異なるため、用いられる周面に応じて補正値を変えること等も行われている（特許文献１参照）。
【特許文献１】特開２００３−２３７１５４号公報
【発明の開示】
【発明が解決しようとする課題】
【０００４】
ある目標搬送量の補正値を決定する場合、まず、第１のパターンが形成され、当該目標搬送量で媒体が搬送された後、第２のパターンが形成される。そして、第１のパターンと第２のパターンとの間の境界の状態に基づいて、第１のパターンと第２のパターンとの間隔が判断され、補正値が決定される。  
しかし、補正の対象となる目標搬送量がノズル列の搬送方向の長さよりも長い場合、第１のパターンと第２のパターンとが離れて形成され、２つのパターンの間に境界を形成することができず、２つのパターンの間隔を判断することが困難になる。
【０００５】
そこで、本発明は、補正の対象となる目標搬送量がノズル列の搬送方向の長さよりも長い場合であっても、その目標搬送量を補正するための補正値の決定を可能にすることを目的とする。
【課題を解決するための手段】
【０００６】
上記目的を達成するための主たる発明は、（Ａ）媒体を搬送方向の所定の位置に搬送し、（Ｂ）所定間隔で並ぶ複数のノズルからなるノズル列の搬送方向上流側のノズルによって第１パターンを前記媒体に形成し、（Ｃ）前記第１パターンの形成後、前記ノズル列の前記搬送方向の長さよりも短い目標搬送量にて前記媒体を前記搬送方向に搬送し、（Ｄ）前記ノズル列の搬送方向下流側のノズルによって前記第１パターンと境界を形成する第２パターンを前記媒体に形成するとともに、前記ノズル列の搬送方向上流側のノズルによって第３パターンを前記媒体に形成し、（Ｅ）前記第２パターンの形成後、前記第１パターンを形成してからの前記媒体の搬送量が前記ノズル列の前記搬送方向の長さよりも長くなるように、前記ノズル列の前記搬送方向の長さよりも短い目標搬送量にて前記媒体を前記搬送方向に搬送し、（Ｆ）前記ノズル列の搬送方向下流側のノズルによって前記第３パターンと境界を形成する第４パターンを前記媒体に形成する、ことを特徴とする。
【０００７】
本発明の他の特徴については、本明細書及び添付図面の記載により明らかにする。
【発明を実施するための最良の形態】
【０００８】
＝＝＝開示の概要＝＝＝
本明細書及び添付図面の記載により、少なくとも、以下の事項が明らかとなる。
【０００９】
媒体を搬送方向の所定の位置に搬送し、
所定間隔で並ぶ複数のノズルからなるノズル列の搬送方向上流側のノズルによって第１パターンを前記媒体に形成し、
前記第１パターンの形成後、前記ノズル列の前記搬送方向の長さよりも短い目標搬送量にて前記媒体を前記搬送方向に搬送し、
前記ノズル列の搬送方向下流側のノズルによって前記第１パターンと境界を形成する第２パターンを前記媒体に形成するとともに、前記ノズル列の搬送方向上流側のノズルによって第３パターンを前記媒体に形成し、
前記第２パターンの形成後、前記第１パターンを形成してからの前記媒体の搬送量が前記ノズル列の前記搬送方向の長さよりも長くなるように、前記ノズル列の前記搬送方向の長さよりも短い目標搬送量にて前記媒体を前記搬送方向に搬送し、
前記ノズル列の搬送方向下流側のノズルによって前記第３パターンと境界を形成する第４パターンを前記媒体に形成する、
ことを特徴とする目標搬送量を補正するためのテストシートの製造方法。  
このようなテストシートの製造方法によれば、ノズル列の搬送方向の長さよりも長い目標搬送量に応じて搬送したときの搬送誤差を検出できるテストシートを作成することができる。
【００１０】
また、前記媒体を搬送する際には、搬送ローラを回転させており、前記ノズル列の前記搬送方向の長さが、前記搬送ローラの周面よりも短いことが望ましい。このような場合に特に有効である。
【００１１】
また、前記媒体を搬送する際には、搬送ローラを回転させており、前記第１パターンを形成してから前記第３パターンを形成するまでに行われる前記媒体の搬送量は、前記搬送ローラのほぼ１回転分に相当することが望ましい。これにより、搬送ローラの１回転分に相当する目標搬送量を補正するためのテストシートを作成することができる。なお、搬送ローラの１回転分に相当する目標搬送量にて搬送したときに生じる搬送誤差は、搬送ローラの回転位置に関わらず、一定である。
【００１２】
また、前記第１パターンを形成してから前記第２パターンを形成するまでに行われる前記媒体の搬送量は、前記搬送ローラのほぼ半回転分に相当することが望ましい。また、前記第１パターンを形成するノズルと、前記第３パターンを形成するノズルとが共通し、前記第２パターンを形成するノズルと、前記第４パターンを形成するノズルとが共通することが望ましい。これにより、第１パターンと第２パターンの境界と、第３パターンと第４パターンの境界を、同様に形成することが可能になる。
【００１３】
また、前記境界は、前記ノズル列の移動する移動方向と交差する方向に形成される。これにより、境界の状態の判断が容易なテストシートを作成できる。また、前記第１パターンと前記第２パターンとの境界の方向と、前記第３パターンと前記第４パターンとの境界の方向は、交差することが望ましい。これにより、ノズルのインク吐出速度に差があっても、搬送誤差を補正するのに適したテストシートを作成することができる。
【００１４】
媒体を搬送方向の所定の位置に搬送し、
所定間隔で並ぶ複数のノズルからなるノズル列の搬送方向上流側のノズルによって第１パターンを前記媒体に形成し、
前記第１パターンの形成後、前記ノズル列の前記搬送方向の長さよりも短い目標搬送量にて前記媒体を前記搬送方向に搬送し、
前記ノズル列の搬送方向下流側のノズルによって前記第１パターンと境界を形成する第２パターンを前記媒体に形成するとともに、前記ノズル列の搬送方向上流側のノズルによって第３パターンを前記媒体に形成し、
前記第２パターンの形成後、前記第１パターンを形成してからの前記媒体の搬送量が前記ノズル列の前記搬送方向の長さよりも長くなるように、前記ノズル列の前記搬送方向の長さよりも短い目標搬送量にて前記媒体を前記搬送方向に搬送し、
前記ノズル列の搬送方向下流側のノズルによって前記第３パターンと境界を形成する第４パターンを前記媒体に形成し、
前記第１パターンと前記第２パターンとの境界と、前記第３パターンと前記第４パターンとの境界と、に基づいて、目標搬送量に対する補正値を決定する
ことを特徴とする補正値の決定方法。  
このような補正値の決定方法によれば、ノズル列の搬送方向の長さよりも長い目標搬送量を補正するための補正値を決定することができる。
【００１５】
また、前記第１パターンから第４パターンを備える補正用パターンを複数形成し、複数の前記補正用パターンの中から前記第１パターンと前記第２パターンとの境界の状態に基づいて第１の補正用パターンを選択し、複数の前記補正用パターンの中から前記第１パターンと前記第２パターンとの境界の状態に基づいて第２の補正用パターンを選択し、前記第１の補正用パターンと前記第２の補正用パターンとに基づいて、前記補正値を決定することが望ましい。これにより、ノズル列の搬送方向の長さよりも長い目標搬送量を補正するための補正値を決定することができる。
【００１６】
また、前記第１の補正用パターンの対応する補正値と、前記第２の補正用パターンの対応する補正値と、の間の値を、前記補正値として決定することが望ましい。また、複数の前記補正用パターンは所定方向に沿って並んでおり、前記第１の補正用パターンを選択する際には、前記所定方向の一方向から順に、複数の前記補正用パターンを検査し、前記第２の補正用パターンを選択する際には、逆方向から順に、複数の前記補正用パターンを検査することが好ましい。これにより、搬送誤差を正確に補正することが可能な補正値を決定できる。
【００１７】
媒体を搬送方向の所定の位置に搬送し、
所定間隔で並ぶ複数のノズルからなるノズル列の搬送方向上流側のノズルによって第１パターンを前記媒体に形成し、
前記第１パターンの形成後、前記ノズル列の前記搬送方向の長さよりも短い目標搬送量にて前記媒体を前記搬送方向に搬送し、
前記ノズル列の搬送方向下流側のノズルによって前記第１パターンと境界を形成する第２パターンを前記媒体に形成するとともに、前記ノズル列の搬送方向上流側のノズルによって第３パターンを前記媒体に形成し、
前記第２パターンの形成後、前記第１パターンを形成してからの前記媒体の搬送量が前記ノズル列の前記搬送方向の長さよりも長くなるように、前記ノズル列の前記搬送方向の長さよりも短い目標搬送量にて前記媒体を前記搬送方向に搬送し、
前記ノズル列の搬送方向下流側のノズルによって前記第３パターンと境界を形成する第４パターンを前記媒体に形成し、
前記第１パターンと前記第２パターンとの境界と、前記第３パターンと前記第４パターンとの境界と、に基づいて、目標搬送量に対する補正値を決定し、
印刷を行うため前記媒体を搬送する際に、目標搬送量を補正し、補正された前記目標搬送量に応じて前記媒体を搬送する
ことを特徴とする印刷方法。  
このような印刷方法によれば、高品質が印刷画像を得ることができる。
【００１８】
媒体を搬送方向の所定の位置に搬送する搬送ユニットと、
目標搬送量に応じて前記搬送ユニットに前記媒体を搬送させ、所定間隔で並ぶ複数のノズルからなるノズル列からインクを吐出させるコントローラと、
を備える印刷システムであって、
前記コントローラは、
前記ノズル列の搬送方向上流側のノズルによって第１パターンを前記媒体に形成し、
前記第１パターンの形成後、前記ノズル列の前記搬送方向の長さよりも短い目標搬送量にて前記媒体を前記搬送方向に搬送し、
前記ノズル列の搬送方向下流側のノズルによって前記第１パターンと境界を形成する第２パターンを前記媒体に形成するとともに、前記ノズル列の搬送方向上流側のノズルによって第３パターンを前記媒体に形成し、
前記第２パターンの形成後、前記第１パターンを形成してからの前記媒体の搬送量が前記ノズル列の前記搬送方向の長さよりも長くなるように、前記ノズル列の前記搬送方向の長さよりも短い目標搬送量にて前記媒体を前記搬送方向に搬送し、
前記ノズル列の搬送方向下流側のノズルによって前記第３パターンと境界を形成する第４パターンを前記媒体に形成する、
ことを特徴とする印刷システム。  
このような印刷システムによれば、ノズル列の搬送方向の長さよりも長い目標搬送量を補正することが可能である。
【００１９】
所定間隔で並ぶ複数のノズルからなるノズル列の搬送方向上流側のノズルによって媒体上に形成された第１パターンと、
前記第１パターンの形成後に前記ノズル列の前記搬送方向の長さよりも短い目標搬送量にて前記媒体を前記搬送方向に搬送した後、前記ノズル列の搬送方向下流側のノズルによって前記媒体上に形成され、前記第１パターンと境界を形成する第２パターンと、
前記第２パターンの形成時に、前記ノズル列の搬送方向上流側のノズルによって形成された第３パターンと、
前記第２パターンの形成後に前記第１パターンを形成してからの前記媒体の搬送量が前記ノズル列の前記搬送方向の長さよりも長くなるように、前記ノズル列の前記搬送方向の長さよりも短い目標搬送量にて前記媒体を前記搬送方向に搬送した後、前記ノズル列の搬送方向下流側のノズルによって前記媒体上に形成され、前記第３パターンと境界を形成する第４パターンと、
を有することを特徴とするテストシート。
【００２０】
このようなテストシートによれば、ノズル列の搬送方向の長さよりも長い目標搬送量に応じて搬送したときの搬送誤差を検出できる。
【００２１】
＝＝＝印刷システムの構成＝＝＝
次に、印刷システムの実施形態について、図面を参照しながら説明する。ただし、以下の実施形態の記載には、コンピュータプログラム、及び、コンピュータプログラムを記録した記録媒体等に関する実施形態も含まれている。
【００２２】
図１は、印刷システムの外観構成を示した説明図である。この印刷システム１００は、プリンタ１と、コンピュータ１１０と、表示装置１２０と、入力装置１３０と、記録再生装置１４０とを備えている。プリンタ１は、紙、布、フィルム等の媒体に画像を印刷する印刷装置である。コンピュータ１１０は、プリンタ１と通信可能に接続されており、プリンタ１に画像を印刷させるため、印刷させる画像に応じた印刷データをプリンタ１に出力する。
【００２３】
コンピュータ１１０にはプリンタドライバがインストールされている。プリンタドライバは、表示装置１２０にユーザインタフェースを表示させ、アプリケーションプログラムから出力された画像データを印刷データに変換させるためのプログラムである。このプリンタドライバは、フレキシブルディスクＦＤやＣＤ−ＲＯＭなどの記録媒体（コンピュータ読み取り可能な記録媒体）に記録されている。または、このプリンタドライバは、インターネットを介してコンピュータ１１０にダウンロードすることも可能である。なお、このプログラムは、各種の機能を実現するためのコードから構成されている。
【００２４】
なお、「印刷装置」とは、媒体に画像を印刷する装置を意味し、例えばプリンタ１が該当する。また、「印刷制御装置」とは、印刷装置を制御する装置を意味し、例えば、プリンタドライバをインストールしたコンピュータが該当する。また、「印刷システム」とは、少なくとも印刷装置及び印刷制御装置を含むシステムを意味する。
【００２５】
＝＝＝プリンタの説明＝＝＝
＜インクジェットプリンタの構成について＞
図２は、プリンタ１の全体構成のブロック図である。また、図３Ａは、プリンタ１の全体構成の概略図である。また、図３Ｂは、プリンタ１の全体構成の横断面図である。以下、本実施形態のプリンタの基本的な構成について説明する。
【００２６】
本実施形態のプリンタ１は、搬送ユニット２０、キャリッジユニット３０、ヘッドユニット４０、検出器群５０、及びコントローラ６０を有する。外部装置であるコンピュータ１１０から印刷データを受信したプリンタ１は、コントローラ６０によって各ユニット（搬送ユニット２０、キャリッジユニット３０、ヘッドユニット４０）を制御する。コントローラ６０は、コンピュータ１１０から受信した印刷データに基づいて、各ユニットを制御し、紙に画像を印刷する。プリンタ１内の状況は検出器群５０によって監視されており、検出器群５０は、検出結果をコントローラ６０に出力する。コントローラ６０は、検出器群５０から出力された検出結果に基づいて、各ユニットを制御する。
【００２７】
搬送ユニット２０は、媒体（例えば、紙Ｓなど）を所定の方向（以下、搬送方向という）に搬送させるためのものである。この搬送ユニット２０は、給紙ローラ２１と、搬送モータ２２（ＰＦモータとも言う）と、搬送ローラ２３と、プラテン２４と、排紙ローラ２５とを有する。給紙ローラ２１は、紙挿入口に挿入された紙をプリンタ内に給紙するためのローラである。搬送ローラ２３は、給紙ローラ２１によって給紙された紙Ｓを印刷可能な領域まで搬送するローラであり、搬送モータ２２によって駆動される。プラテン２４は、印刷中の紙Ｓを支持する。排紙ローラ２５は、紙Ｓをプリンタの外部に排出するローラであり、印刷可能な領域に対して搬送方向下流側に設けられている。
【００２８】
キャリッジユニット３０は、ヘッドを所定の方向（以下、移動方向という）に移動（「走査」とも呼ばれる）させるためのものである。キャリッジユニット３０は、キャリッジ３１と、キャリッジモータ３２（ＣＲモータとも言う）とを有する。キャリッジ３１は、移動方向に往復移動可能であり、キャリッジモータ３２によって駆動される。また、キャリッジ３１は、インクを収容するインクカートリッジを着脱可能に保持している。
【００２９】
ヘッドユニット４０は、紙にインクを吐出するためのものである。ヘッドユニット４０は、複数のノズルを有するヘッド４１を備える。このヘッド４１はキャリッジ３１に設けられているため、キャリッジ３１が移動方向に移動すると、ヘッド４１も移動方向に移動する。そして、ヘッド４１が移動方向に移動中にインクを断続的に吐出することによって、移動方向に沿ったドットライン（ラスタライン）が紙に形成される。
【００３０】
検出器群５０には、リニアエンコーダ５１、ロータリーエンコーダ５２、紙検出センサ５３、および光学センサ５４等が含まれる。リニアエンコーダ５１は、キャリッジ３１の移動方向の位置を検出する。ロータリーエンコーダ５２は、搬送ローラ２３の回転量を検出する。紙検出センサ５３は、給紙中の紙の先端の位置を検出する。光学センサ５４は、キャリッジ３１に取付けられている発光部と受光部により、紙の有無を検出する。そして、光学センサ５４は、キャリッジ３１によって移動しながら紙の端部の位置を検出し、紙の幅を検出することができる。また、光学センサ５４は、状況に応じて、紙の先端（搬送方向下流側の端部であり、上端ともいう）・後端（搬送方向上流側の端部であり、下端ともいう）も検出できる。
【００３１】
コントローラ６０は、プリンタの制御を行うための制御ユニット（制御部）である。コントローラ６０は、インターフェース部６１と、ＣＰＵ６２と、メモリ６３と、ユニット制御回路６４とを有する。インターフェース部６１は、外部装置であるコンピュータ１１０とプリンタ１との間でデータの送受信を行う。ＣＰＵ６２は、プリンタ全体の制御を行うための演算処理装置である。メモリ６３は、ＣＰＵ６２のプログラムを格納する領域や作業領域等を確保するためのものであり、ＲＡＭ、ＥＥＰＲＯＭ等の記憶素子を有する。ＣＰＵ６２は、メモリ６３に格納されているプログラムに従って、ユニット制御回路６４を介して各ユニットを制御する。例えば、ＣＰＵ６２は、目標搬送量をユニット制御回路６４へ指令し、この指令に基づいてユニット制御回路６４は搬送ユニット２０の搬送モータ２２を駆動する。
【００３２】
＜印刷動作について＞
図４は、印刷時の処理のフロー図である。以下に説明される各処理は、コントローラ６０が、メモリ６３内に格納されたプログラムに従って、各ユニットを制御することにより実行される。このプログラムは、各処理を実行するためのコードを有する。
【００３３】
印刷命令受信（Ｓ００１）：まず、コントローラ６０は、コンピュータ１１０からインターフェース部６１を介して、印刷命令を受信する。この印刷命令は、コンピュータ１１０から送信される印刷データのヘッダに含まれている。そして、コントローラ６０は、受信した印刷データに含まれる各種コマンドの内容を解析し、各ユニットを用いて、以下の給紙処理・搬送処理・ドット形成処理等を行う。
【００３４】
給紙処理（Ｓ００２）：給紙処理とは、印刷すべき紙をプリンタ内に供給し、印刷開始位置（頭出し位置とも言う）に紙を位置決めする処理である。コントローラ６０は、給紙ローラ２１を回転させ、印刷すべき紙を搬送ローラ２３まで送る。続いて、コントローラ６０は、搬送ローラ２３を回転させ、給紙ローラ２１から送られてきた紙を印刷開始位置に位置決めする。紙が印刷開始位置に位置決めされたとき、ヘッド４１の少なくとも一部のノズルは、紙と対向している。
【００３５】
ドット形成処理（Ｓ００３）：ドット形成処理とは、移動方向に沿って移動するヘッドからインクを断続的に吐出させ、紙上にドットを形成する処理である。コントローラ６０は、キャリッジモータ３２を駆動し、キャリッジ３１を移動方向に移動させる。そして、コントローラ６０は、キャリッジ３１が移動している間に、印刷データに基づいてヘッドからインクを吐出させる。ヘッド４１から吐出されたインク滴が紙上に着弾すれば、紙上にドットが形成される。移動するヘッド４１からインクが断続的に吐出されるので、紙上には移動方向に沿った複数のドットからなるドット列（ラスタライン）が形成される。なお、このドット形成処理のことを「パス」とも言う。また、ｎ回目のドット形成処理のことを「パスｎ」とも言う。
【００３６】
搬送処理（Ｓ００４）：搬送処理とは、紙をヘッドに対して搬送方向に沿って相対的に移動させる処理である。コントローラ６０は、搬送モータを駆動し、搬送ローラを回転させて紙を搬送方向に搬送する。この搬送処理により、ヘッド４１は、先ほどのドット形成処理によって形成されたドットの位置とは異なる位置に、ドットを形成することが可能になる。
【００３７】
排紙判断（Ｓ００５）：コントローラ６０は、印刷中の紙の排紙の判断を行う。印刷中の紙に印刷すべきデータが残っていれば、排紙は行われない。そして、コントローラ６０は、印刷すべきデータがなくなるまで、ドット形成処理と搬送処理とを交互に繰り返し、ドットから構成される画像を徐々に紙に印刷する。
【００３８】
排紙処理（Ｓ００６）：印刷中の紙に印刷すべきデータがなくなれば、コントローラ６０は、排紙ローラを回転させることにより、その紙を排紙する。なお、排紙を行うか否かの判断は、印刷データに含まれる排紙コマンドに基づいても良い。
【００３９】
印刷終了判断（Ｓ００７）：次に、コントローラ６０は、印刷を続行するか否かの判断を行う。次の紙に印刷を行うのであれば、印刷を続行し、次の紙の給紙処理を開始する。次の紙に印刷を行わないのであれば、印刷動作を終了する。
【００４０】
＝＝＝搬送処理時の搬送誤差とその補正＝＝＝
＜紙の搬送について＞
図５は、搬送ユニット２０の構成の説明図である。  
搬送ユニット２０は、コントローラ６０からの搬送指令に基づいて、所定の駆動量にて搬送モータ２２を駆動させる。搬送モータ２２は、指令された駆動量に応じて回転方向の駆動力を発生する。搬送モータ２２は、この駆動力を用いて搬送ローラ２３を回転させる。つまり、搬送モータ２２が所定の駆動量を発生すると、搬送ローラ２３は所定の回転量にて回転する。搬送ローラ２３が所定の回転量にて回転すると、紙は所定の搬送量にて搬送される。  
紙の搬送量は、搬送ローラ２３の回転量に応じて定まる。本実施形態では、搬送ローラ２３が１回転すると、紙が１．２５インチ搬送されるものとする（つまり、搬送ローラ２３の周長は、１．２５インチである）。このため、搬送ローラ２３が半回転すると、紙が０．６２５インチ搬送される。  
したがって、搬送ローラ２３の回転量が検出できれば、紙の搬送量も検出可能である。そこで、搬送ローラ２３の回転量を検出するため、ロータリーエンコーダ５２が設けられている。
【００４１】
ロータリーエンコーダ５２は、スケール５２１と検出部５２２とを有する。スケール５２１は、所定の間隔毎に設けられた多数のスリットを有する。このスケール５２１は、搬送ローラ２３に設けられている。つまり、スケール５２１は、搬送ローラ２３が回転すると、一緒に回転する。そして、搬送ローラ２３が回転すると、スケール５２１の各スリットが検出部５２２を順次通過する。検出部５２２は、スケール５２１と対向して設けられており、プリンタ本体側に固定されている。ロータリーエンコーダ５２は、検出部５２２をスリット５２１が通過する毎に、パルス信号を出力する。搬送ローラ２３の回転量に応じてスリット５２１が順次検出部５２２を通過するので、ロータリーエンコーダ５２の出力に基づいて、搬送ローラ２３の回転量が検出される
そして、例えば搬送量１．２５インチで紙を搬送する場合、搬送ローラ２３が１回転したことをロータリー式エンコーダ５２が検出するまで、コントローラ６０が搬送モータ２２を駆動する。このように、コントローラ６０は、目標とする搬送量（目標搬送量）に応じた回転量になることをロータリー式エンコーダ５２が検出するまで、搬送モータ２２を駆動して、紙を目標搬送量にて搬送する。
【００４２】
＜搬送誤差について＞
ところで、ロータリーエンコーダ５２は、直接的には搬送ローラ２３の回転量を検出するのであって、厳密にいえば、紙Ｓの搬送量を検出していない。このため、搬送ローラ２３の回転量と紙Ｓの搬送量が一致しない場合、ロータリーエンコーダ５２は紙Ｓの搬送量を正確に検出することができず、搬送誤差（検出誤差）が生じる。搬送誤差としては、ＤＣ成分の搬送誤差及びＡＣ成分の搬送誤差の２種類がある。
【００４３】
ＤＣ成分の搬送誤差とは、搬送ローラが１回転したときに生じる一定量の搬送誤差のことである。このＤＣ成分の搬送誤差は、製造誤差等によって搬送ローラ２３の周長が個々のプリンタ毎に異なることが原因と考えられる。つまり、ＤＣ成分の搬送誤差は、設計上の搬送ローラ２３の周長と実際の搬送ローラ２３の周長が異なるために生じる搬送誤差である。このＤＣ成分の搬送誤差は、搬送ローラが１回転するときの開始位置に関わらず、一定になる。
【００４４】
ＡＣ成分の搬送誤差とは、搬送時に用いられる搬送ローラの周面の場所に応じた搬送誤差のことである。ＡＣ成分の搬送誤差は、搬送時に用いられる搬送ローラの周面の場所に応じて、異なる量になる。つまり、ＡＣ成分の搬送誤差は、搬送開始時の搬送ローラの回転位置と搬送量に応じて、異なる量になる。
【００４５】
図６は、ＡＣ成分の搬送誤差の説明用グラフである。横軸は、基準となる回転位置からの搬送ローラ２３の回転量である。縦軸は、累積搬送誤差を示す。このグラフを微分すれば、その回転位置で搬送ローラが搬送しているときに生じる搬送誤差が導き出される。ここでは、基準位置における累積搬送誤差をゼロとし、ＤＣ成分の搬送誤差もゼロとしている。
【００４６】
搬送ローラ２３が基準位置から１／４回転すると、δ_90の搬送誤差が生じ、紙は１．２５／４インチ＋δ_90にて搬送される。但し、搬送ローラ２３が更に１／４回転すると、-δ_90の搬送誤差が生じ、紙は１．２５／４インチ−δ_90にて搬送される。
【００４７】
ＡＣ成分の搬送誤差が生じる原因としては、例えば、以下の３つが考えられる。
【００４８】
まず第１に、搬送ローラの形状による影響が考えられる。例えば、搬送ローラが楕円形状や卵型である場合、搬送ローラの周面の場所に応じて、回転中心までの距離が異なっている。そして、回転中心までの距離が長い部分で媒体を搬送する場合、搬送ローラの回転量に対する搬送量が多くなる。一方、回転中心までの距離が短い部分で媒体を搬送する場合、搬送ローラの回転量に対する搬送量が少なくなる。
【００４９】
第２に、搬送ローラの回転軸の偏心が考えられる。この場合も、搬送ローラの周面の場所に応じて、回転中心までの長さが異なっている。このため、たとえ搬送ローラの回転量が同じであっても、搬送ローラの周面の場所に応じて、搬送量が異なることになる。
【００５０】
第３に、搬送ローラの回転軸と、ロータリーエンコーダ５２のスケール５２１の中心との不一致が考えられる。この場合、スケール５２１が偏心して回転することになる。この結果、検出部５２２が検出するスケール５２１の場所に応じて、検出されたパルス信号に対する搬送ローラ２３の回転量が異なることになる。例えば、検出されるスケール５２１の場所が搬送ローラ２３の回転軸から離れている場合、検出されたパルス信号に対する搬送ローラ２３の回転量が少なくなるため、搬送量が少なくなる。一方、検出されるスケール５２１の場所が搬送ローラ２３の回転軸から近い場合、検出されたパルス信号に対する搬送ローラ２３の回転量が多くなるため、搬送量が多くなる。
【００５１】
上記の原因のため、ＡＣ成分の搬送誤差は、図６に示す通り、ほぼサインカーブになる。
【００５２】
＜搬送誤差の補正について＞
図７は、搬送誤差を補正するための補正値の設定処理のフロー図である。これらの処理は、プリンタの製造時に製造工場内の検査工程において行われる。なお、このとき、検査の対象となるプリンタは、工場内の検査用コンピュータに接続されている。
【００５３】
まず、プリンタは、補正値設定用のテストシートを印刷する（Ｓ１０１）。このテストシートには、複数の補正用パターンが形成される。この補正用パターンは、「パッチパターン」とも呼ばれる。各補正用パターンは、特定の補正値と対応付けられており、形状がそれぞれ異なっている。このテストシートについては、後述する。  
次に、検査者は、テストシートを検査し、テストシートの中の複数の補正用パターンの中から最適な形状の補正用パターンを選択する（Ｓ１０２）。検査者は、選択した補正用パターンの番号を、プリンタに接続されたコンピュータに入力する。コンピュータは、選択された補正用パターンの番号に基づいて補正値を決定（Ｓ１０３）し、プリンタのメモリに補正値を記録する（Ｓ１０４）。  
これにより、製造工場で製造されたプリンタ毎に、各プリンタに適した補正値が各プリンタのメモリに記録される。そして、補正値をメモリに記憶したプリンタは、梱包されて、出荷される。
【００５４】
そして、プリンタを購入したユーザーの下で印刷が行われる際に、コントローラ６０は、メモリから補正値を読み出し、目標搬送量を補正値に基づいて補正し、補正された目標搬送量に基づいて搬送処理を行う。これにより、紙が目標搬送量通りに搬送されるので、印刷画像の画質が向上する。
【００５５】
＝＝＝参考例＝＝＝
図８は、参考例のテストシートの印刷の説明図である。この参考例では、ヘッドの搬送方向の長さは１．２５インチであり、搬送ローラ２３の周面の長さと一致しているものとする。  
この参考例のテストシートは、目標搬送量Ｆに対する補正値を取得するためのものである。ここで、目標搬送量Ｆは、１．２５インチであり、搬送ローラ２３の周面の長さと同じである。このため、このテストシートは、搬送ローラ２３が１回転したときに生じる搬送誤差（ＤＣ成分の搬送誤差）を検出するものでもある。
【００５６】
図中の左側の６つの長方形は、パス１〜パス６のときの紙に対するヘッドの位置を示している。ヘッドの位置を示す長方形の中の数字は、パスの番号を示している。図ではヘッドが移動しているように描かれているが、実際には、紙が搬送されることによって、紙に対するヘッドの位置が変化する。パス１とパス２との間では、目標搬送量Ｆ＋２Ｃの搬送処理が行われている。但し、搬送誤差がある場合、図中の目標搬送量通りに紙は搬送されていない。
【００５７】
図中の右側には、テストシートに形成される５個の補正用パターンＰ１〜Ｐ５が描かれている。各補正用パターンは、２個のブロックパターンを有する。あるパスにおいてヘッドの搬送方向上流側ノズルにより上側のブロックパターンが形成され、次のパスにおいてヘッドの搬送方向下流側ノズルにより下側のブロックパターンが形成される。補正用パターン毎に、上側のブロックパターンが形成されてから、下側のブロックパターンが形成されるまでの間に行われる搬送処理の目標搬送量が異なっている。例えば、補正用パターンＰ１では、２個のブロックパターンを形成する間に目標搬送量Ｆ＋２Ｃの搬送処理が行われており、補正用パターンＰ２では、目標搬送量Ｆ＋Ｃの搬送処理が行われている。このため、各補正用パターンは、それぞれ、２個のブロックパターンの間隔が異なっている。
【００５８】
２個のブロックパターンが離れて形成されると、２個のブロックパターンの間の境界に白スジが発生する。一方、２個のブロックパターンが重なって形成されると、２個のブロックパターンの間に黒スジが発生する。
【００５９】
仮に、目標搬送量通りに紙が搬送されたならば、補正用パターンＰ３には白スジも黒スジも発生しないはずである。しかし、図中のテストシートによれば、目標搬送量Ｆで紙を搬送したとき、搬送誤差によって目標搬送量Ｆよりも短く搬送されたため、補正用パターンＰ３には黒スジが発生している。
【００６０】
検査者は、テストシートを検査する際に、２個のブロックパターンの境界に注目する。そして、検査者は、白スジも黒スジもない補正用パターンＰ２を、最適な補正用パターンとして選択する。これにより、プリンタのメモリには、補正値として「＋１」が記録される。  
ユーザー下で印刷が行われる際に、コントローラ６０は、目標搬送量Ｆにて搬送処理を行う場合、メモリに記録されている補正値「＋１」に基づいて、目標搬送量をＦ＋Ｃに補正する。補正された目標搬送量Ｆ＋Ｃにて搬送処理が行われれば、搬送誤差によって目標搬送量よりも短く搬送されるため、紙は搬送量Ｆにて搬送される。すなわち、補正前の目標搬送量通りに紙を搬送することができる。
【００６１】
＝＝＝本実施形態のヘッドの構成＝＝＝
前述の参考例では、ヘッドの搬送方向の長さは１．２５インチであり、搬送ローラ２３の周面の長さと一致していた。しかし、以下に説明する通り、本実施形態のヘッドの搬送方向の長さは、搬送ローラ２３の周面の長さよりも短い。
【００６２】
図９は、ヘッドのノズル配置の説明図である。ヘッド４１の下面には、４つのノズル列（Ａ列〜Ｄ列）が設けられている。各列には、ノズルが９０個ずつ設けられている。
【００６３】
各ノズル列の９０個のノズルは、搬送方向に沿って、１／１２０インチの間隔（ノズルピッチ）で並んでいる。Ａ列のノズルに対して、Ｂ列のノズルは１／３６０インチだけ搬送方向上流側に位置している。また、Ｃ列及びＤ列のノズルは、Ｂ列のノズルに対して１／３６０インチだけ搬送方向上流側に位置している。  
各ノズル列のノズルは、搬送方向下流側ほど小さい番号が付されている（♯１〜♯９０）。つまり、ノズル♯１は、ノズル♯９０よりも搬送方向の下流側に位置している。
【００６４】
各ノズルには、それぞれインクチャンバー（不図示）と、ピエゾ素子が設けられている。ピエゾ素子の駆動によってインクチャンバーが伸縮・膨張し、ノズルからインク滴が吐出される。
【００６５】
Ａ列のノズルからはシアンインクが吐出され、Ｂ列のノズルからはマゼンタインクが吐出され、Ｃ列のノズルからはイエローインクが吐出され、Ｄ列のノズルからはブラックインクが吐出される。但し、プリンタ製造工場においてテストシートを印刷するときには、検査用のライトマゼンタインクがＢ列に供給され、Ｂ列のノズルからライトマゼンタインクが吐出されて、テストシートが印刷される。
【００６６】
１回のドット形成動作でパターンを形成可能な幅のことを「ヘッドの搬送方向の長さ」と呼んでいる。つまり、「ヘッドの搬送方向の長さ」は、インクを吐出するノズル列の長さを意味し、「ノズルピッチ×ノズル数」として表される。テストシートを印刷する場合のヘッドの搬送方向の長さは、Ｂ列のノズル列の長さを意味し、０．７５インチ（＝１／１２０インチ×９０）である。
【００６７】
このため、本実施形態では、ヘッドの搬送方向の長さ（０．７５インチ）は、搬送ローラの周面の長さ（１．２５インチ）よりも短い。
【００６８】
＝＝＝種々の問題点に対する本実施形態の対策＝＝＝
＜ヘッド長さがローラ周面長さよりも短いことによる問題＞
図１０Ａは、ヘッド長さがローラ周面長さよりも短いことによる問題の説明図である。  
ＤＣ成分の搬送誤差を補正するためには、ヘッドの搬送方向上流側のノズルによりブロックパターンを形成し、搬送ローラ２３の１回転分の搬送処理を行い、ヘッドの搬送方向下流側のノズルによりブロックパターンを形成して、補正用パターンを形成する必要がある。
【００６９】
しかし、ヘッドの搬送方向の長さが搬送ローラの周面の長さよりも短い場合、２個のブロックパターンを近接して形成することができない。このため、参考例のように、２個のブロックパターンの間に、検査者が検査すべき境界を形成することができない。また、２個のブロックパターンの間隔は搬送誤差を反映しているが、図に示すように２個のブロックパターンが離れていると、２個のブロックパターンの間隔を判定することも困難である。
【００７０】
図１０Ｂは、この問題に対する本実施形態の対策の説明図である。  
本実施形態では、パターンＡを形成した後、搬送ローラ２３の半回転分の搬送処理を行い、パターンＢを形成し、更に搬送ローラ２３の半回転分の搬送処理を行い、パターンＣを形成し、パターンＡ〜パターンＣからなる補正用パターンを形成している。この補正用パターンであっても、ＤＣ成分の搬送誤差を補正するために必要な、搬送ローラ２３の１回転分の搬送処理の前後の２個のパターン（パターンＡ及びパターンＣ）を有している。
【００７１】
更に、本実施形態によれば、パターンＡとパターンＢとを近接させて形成でき、パターンＢとパターンＣとを近接させて形成できる。これにより、パターンＡとパターンＢとの間や、パターンＢとパターンＣとの間に、検査者が検査すべき境界を形成することが可能になる。そして、本実施形態によれば、パターンＡとパターンＢとの間の境界に基づいてパターンＡとパターンＢとの位置関係を検査でき、パターンＢとパターンＣとの間の境界に基づいてパターンＢとパターンＣとの位置関係が検査できるので、間接的にパターンＡとパターンＣとの位置関係を判定することが可能になる。
【００７２】
＜パターンＢのＡＣ成分搬送誤差の問題＞
ＤＣ成分の搬送誤差は、搬送ローラが１回転するときの開始位置に関わらず、一定になる。このため、搬送ローラの１回転分の搬送処理の前後に形成されるパターンＡとパターンＣとの位置関係は、パターンＡを形成したときの搬送ローラの回転位置に影響されることはない。  
しかし、本実施形態では、パターンＡを形成した後、搬送ローラを１回転させる前に、パターンＢを形成している。このため、パターンＡとパターンＢとの位置関係は、パターンＡを形成したときの搬送ローラの回転位置に影響される。
【００７３】
図１１Ａは、各パターン形成時のＡＣ成分の搬送誤差の説明図である。図１１Ｂは、ＡＣ成分の搬送誤差によるパターンＢの形成位置の影響の説明図である。  
パターンＡの形成時の搬送ローラの回転位置が基準位置の場合、搬送ローラを半回転したとき、ＡＣ成分の搬送誤差が生じない状態で紙を搬送できる。このため、パターンＢは、ＡＣ成分の搬送誤差の影響のない状態で形成できる。
【００７４】
一方、パターンＡの形成時の搬送ローラの回転位置が基準位置から１／４回転した位置の場合、搬送ローラが半回転したとき、ＡＣ成分の搬送誤差の影響によって、目標搬送量よりも少ない搬送量で紙が搬送される。この結果、パターンＢは、パターンＡに近づいて形成される。また、更に搬送ローラが半回転したとき、ＡＣ成分の搬送誤差の影響によって、目標搬送量よりも多い搬送量で紙が搬送される。この結果、パターンＣは、パターンＢから離れて形成される。
【００７５】
このように、ＡＣ成分の搬送誤差の影響のため、図１１ＢのパターンＢは、上下に（搬送方向の下流側又は上流側に）位置を変化させることになる。（但し、パターンＡ及びパターンＣの位置関係はＡＣ成分の影響を受けないので、図１１ＢにおいてパターンＡ及びパターンＣの位置は変化しない。）そして、パターンＢの搬送方向の位置が変化すると、パターンＡとパターンＢとの間の境界の状態や、パターンＢとパターンＣとの間の境界の状態も変化する。
【００７６】
一方、本実施形態では、搬送ローラ２３の相対的な回転量はロータリーエンコーダ５２により検出できるが、搬送ローラ２３が基準位置にあることを検出する原点センサのようなものはなく、搬送ローラ２３の絶対的な回転位置は検出していない。このため、本実施形態では、パターンＢが上下のいずれに位置を変化させているのか未知の状態で、補正用パターンを判定する必要がある。
【００７７】
このような状況下でＤＣ成分の搬送誤差を補正する補正値を決定するため、本実施形態では、パターンＡとパターンＢとの間の境界が最適な補正用パターンを選択し、更に、パターンＢとパターンＣとの間の境界が最適な補正用パターンを選択し、選択された２つの補正用パターンに基づいて補正値を決定する。これにより、パターンＢの搬送方向の位置が変化しても、ＤＣ成分の搬送誤差に応じた補正値を決定できるようにしている。
【００７８】
＜２つのパターンの境界の形状の問題＞
参考例の補正用パターンでは、２つのブロックパターンによって境界を形成している。この２つのブロックパターンは、微視的に見ると、移動方向にドットが並ぶ複数のラスタラインから構成されている。このため、２つのブロックパターンの境界は、ラスタラインと平行である。
【００７９】
図１２Ａ及び図１２Ｂは、２つのブロックパターンの境界付近の説明図である。図中の実線は、ラスタラインを示しており、実際にはドットが並ぶことにより形成されている。図１２Ａでは、２つのブロックパターンが近づいて形成された結果、黒スジが生じている。図１２Ｂでは、２つのブロックパターンが離れて形成された結果、白スジが生じている。いずれの境界も、ラスタラインと平行である。そして、前述の参考例では、このような境界において黒スジや白スジの存在を判断することになる。
【００８０】
ところで、ブロックパターンを構成するラスタラインは、ノズルの製造ばらつきや、インクの飛翔方向の乱れ等の影響によって、搬送方向の位置がずれて形成されることがある。この結果、ラスタライン毎に、隣接するラスタラインとの間隔が若干異なることになる。
【００８１】
図１２Ｃ及び図１２Ｄは、ラスタラインの間隔にばらつきが生じたときの境界付近の説明図である。図１２Ｃでは、２つのブロックパターンが近づいて形成されており、図１２Ｄでは、２つのブロックパターンが離れて形成されている。  
ラスタラインの間隔にばらつきが生じると、ブロックパターンの内部にも、ラスタラインが近づいて形成されて黒スジのように見える場所が生じたり、ラスタラインが離れて形成されて白スジのように見える場所が生じたりする。この結果、境界の位置を特定することが困難になり、仮に境界の位置を特定することができても、２つのブロックパターンの境界において黒スジや白スジの存在を判断することが困難になる。また、境界付近のラスタラインの搬送方向の位置のばらつき方によって、境界における黒スジや白スジの存在の判断が異なったものになってしまう。
【００８２】
図１２Ｅ及び図１２Ｆは、この問題に対する本実施形態の対策の説明図である。図１２Ｅでは、２つのパターンが近づいて形成された結果、黒スジが生じている。図１２Ｆでは、２つのパターンが離れて形成された結果、白スジが生じている。  
本実施形態では、２つのパターンの境界の方向を、搬送方向及び移動方向と交差する方向にしている。巨視的に見ると、本実施形態では、２つのパターン（例えばパターンＡとパターンＢ）にそれぞれ斜辺が形成され、この斜辺同士が近接して形成されることによって境界が形成されている。  
このように形成することにより、境界は、一方のパターンを構成する複数のラスタラインと、他方のパターンを構成する複数のラスタラインとから構成される。このため、ラスタラインの搬送方向の位置にばらつきが生じても、境界における黒スジや白スジの存在の判断を安定して行うことができる。つまり、これにより、検査者がテストシートを検査し易くなる。
【００８３】
以下、本実施形態について詳述する。
【００８４】
＝＝＝本実施形態のテストシート＝＝＝
＜テストシートの構成について＞
図１３は、本実施形態のテストシートの説明図である。  
本実施形態のテストシートには、９個の補正用パターンが移動方向に並んで形成されている。各補正用パターンには、それぞれ特定の補正値が対応付けられており、各補正用パターンの上（紙の上端側）には補正値を示す数字が印刷されている。以下の説明において、「補正用パターン（ｎ）」とは、補正値ｎが対応付けられた補正用パターンを意味する。
【００８５】
＜補正用パターンの構成について＞
図１４は、本実施形態の補正用パターンの説明図である。  
各補正用パターンは、パターンＡ、パターンＢ及びパターンＣから構成され、全体としてはほぼ長方形状である。
【００８６】
パターンＡは、台形パターンＡ１及び逆台形パターンＡ２から構成される。台形パターンＡ１及び逆台形パターンＡ２は、補正用パターンの上側（搬送方向下流側）の２角にそれぞれ形成される。台形パターンＡ１及び逆台形パターンＡ２において、上底と下底との間の２辺の一方は、上底及び下底と直角をなし、補正用パターンの側方の一辺を構成する。また、台形パターンＡ１及び逆台形パターンＡ２において、上底と下底との間の２辺の他方は、斜辺となる。この斜辺は、搬送方向及び移動方向と交差する方向である。台形パターンＡ１の斜辺と逆台形パターンＡ２の斜辺とは、互いに平行である。なお、パターンＡの詳細な構成は、後述する。
【００８７】
パターンＢは、傾斜パターンＢ１、長方形パターンＢ２及び傾斜パターンＢ３から構成される。傾斜パターンＢ１は、長方形パターンＢ２の上側に形成され、平行四辺形状をしている。この平行四辺形の１辺は、補正用パターンの上側の辺を構成する。この辺を挟む２つの平行な辺は、前述の台形パターンＡ１及び逆台形パターンＡ２の斜辺と平行である。長方形パターンＢ２は、補正用パターンの中央部に位置する。この長方形パターンＢ２の２辺は、補正用パターンの側方の２辺を構成する。傾斜パターンＢ３は、長方形パターンＢ２の下側（搬送方向上流側）に形成され、平行四辺形状をしている。この平行四辺形の１辺は、補正用パターンの下側の辺を構成する。この辺を挟む２つの平行な辺は、後述する逆台形パターンＣ１及び台形パターンＣ２の斜辺と平行である。傾斜パターンＢ１と傾斜パターンＢ３とを比較すると、傾斜する方向が逆になっている。なお、パターンＢの詳細な構成は、後述する。
【００８８】
パターンＣは、逆台形パターンＣ１及び台形パターンＣ２から構成される。逆台形パターンＣ１及び台形パターンＣ２は、補正用パターンの下側（搬送方向上流側）の２角にそれぞれ形成される。逆台形パターンＣ１及び台形パターンＣ２において、上底と下底との間の２辺の一方は、上底及び下底と直角をない、補正用パターンの側方の一辺を構成する。また、逆台形パターンＣ１及び台形パターンＣ２において、上底と下底との間の２辺の他方は、斜辺となる。この斜辺は、搬送方向及び移動方向と交差する方向である。逆台形パターンＣ１の斜辺と台形パターンＣ２の斜辺とは、互いに平行である。但し、逆台形パターンＣ１及び台形パターンＣ２の斜辺は、台形パターンＡ１及び逆台形パターンＡ２の斜辺と交差する方向に形成される。なお、パターンＣの詳細な構成は、後述する。
【００８９】
パターンＡとパターンＢとの間には、境界Ａ１Ｂ１、境界Ａ２Ｂ１及び境界Ａ１Ｂ２が形成される。境界Ａ１Ｂ１は、パターンＡの台形パターンＡ１と、パターンＢの傾斜パターンＢ１との間で形成される境界である。境界Ａ２Ｂ１は、パターンＡの逆台形パターンＡ２と、パターンＢの傾斜パターンＢ１との間で形成される境界である。境界Ａ１Ｂ２は、パターンＡの台形パターンＡ１と、パターンＢの長方形パターンＢ２との間で形成される境界である。境界Ａ１Ｂ１及び境界Ａ２Ｂ１は、搬送方向と交差する方向に沿って形成され、かつ、移動方向と交差する方向に沿って形成される。一方、境界Ａ１Ｂ２は、移動方向に沿って形成されている。なお、後述する通り、検査者は、境界Ａ１Ｂ１及び境界Ａ２Ｂ１に注目して検査を行うが、境界Ａ１Ｂ２には注目しない。
【００９０】
パターンＢとパターンＣとの間には、境界Ｃ１Ｂ３、境界Ｃ２Ｂ３及び境界Ｃ１Ｂ２が形成される。境界Ｃ１Ｂ３は、パターンＣの逆台形パターンＣ１と、パターンＢの傾斜パターンＢ３との間で形成される境界である。境界Ｃ２Ｂ３は、パターンＣの台形パターンＣ２と、パターンＢの傾斜パターンＢ３との間に形成される境界である。境界Ｃ１Ｂ２は、パターンＣの逆台形パターンＣ１と、パターンＢの長方形パターンＢ２との間に形成される境界である。境界Ｃ１Ｂ３及び境界Ｃ２Ｂ３は、搬送方向と交差する方向に沿って形成され、かつ、移動方向と交差する方向に沿って形成される。但し、境界Ｃ１Ｂ３及び境界Ｃ２Ｂ３の方向は、境界Ａ１Ｂ１及び境界Ａ２Ｂ１とも交差する方向である。なお、後述する通り、検査者は、境界Ｃ１Ｂ３及び境界Ｃ２Ｂ３に注目して検査を行うが、境界Ｃ１Ｂ２には注目しない。
【００９１】
いずれの補正用パターンにおいても、パターンＡの形成後、紙は搬送ローラの約半回転分の搬送量にて搬送され、パターンＢが形成される。但し、補正用パターン毎に、パターンＡの形成からパターンＢの形成までの間に行われる搬送処理の目標搬送量が異なる。また、パターンＢの形成後、紙は搬送ローラの約半回転分の搬送量にて搬送され、パターンＣが形成される。但し、補正用パターン毎に、パターンＢの形成からパターンＣの形成までの間に行われる搬送処理の目標搬送量が異なる。このため、各補正用パターンに応じて、パターンＡに対するパターンＢの位置関係や、パターンＢに対するパターンＣの位置関係が異なっている。つまり、各補正用パターンに応じて、パターンＡとパターンＣとの位置関係が異なっている。
【００９２】
この結果、補正用パターン毎に、各境界の状態が異なることになる。２つのパターンが重なる状態の境界では、境界が濃く視認される（黒スジとして視認される）。一方、２つのパターンが離れる状態の境界では、境界が淡く視認される（白スジとして視認される）。
【００９３】
次に、各補正用パターンのパターンＡ〜パターンＣの印刷方法について説明し、その後、全補正用パターンの印刷方法について説明する。なお、各パターンは、３６０ｄｐｉ（移動方向）×２４０ｄｐｉ（搬送方向）の解像度にて形成される。ラスタラインを構成するドットの直径は１／２４０インチであるため、この解像度でパターンを形成すれば、各パターンを構成するラスタライン同士の間に隙間が生じている。
【００９４】
＜パターンＡの印刷方法について＞
図１５は、パターンＡの印刷方法の説明図である。パターンＡは、２回のパスによって形成される。図中の左側には、１回目及び２回目のパスにおける紙に対するヘッドの位置（Ｂ列の位置）が示されている。パターンＡの形成時には、ノズル♯７６〜ノズル♯８７からインクが吐出される。インクを吐出するノズルは、１回目のパスでは黒丸で示され、２回目のパスではハッチングで示されている。ヘッドは移動方向に往復移動可能であるが、パターンＡを形成するときには、ヘッドは一方の方向にしか移動していない。ここでは、ヘッドが図中の左から右へ移動するときに、パターンＡが形成されるものとする。  
図中の右側には、パターンＡを構成するラスタラインが示されている。１回目のパスにより形成されるラスタラインは黒で示されており、２回目のパスにより形成されるラスタラインはハッチングで示されている。
【００９５】
１回目のパスでは、ヘッドが移動方向の所定の位置に到達したとき、ノズル♯７６〜ノズル♯８７からインクが吐出される。ノズル♯７６は、台形パターンＡ１を構成する４／３６０インチのラスタラインを形成し（つまり、４個のドットを形成し）、６０／３６０インチの空走区間の後、逆台形パターンＡ２を構成する９６／３６０インチのラスタラインを形成する（つまり、９６個のドットを形成する）。そして、各ノズルは、搬送方向下流側に隣接するノズルよりも８／３６０インチ長いラスタラインを形成して台形パターンＡ１を構成するラスタラインを形成し、６０／３６０インチの空走区間の後、搬送方向下流側に隣接するノズルよりも８／３６０インチ短いラスタラインを形成して逆台形パターンＡ２を構成するラスタラインを形成する。これにより、ヘッドが移動方向の所定の位置に到達したとき、ノズル♯７６〜ノズル♯８７からのインクの吐出が停止される。
【００９６】
１回目のパスの後、ノズルピッチの半分に相当する目標搬送量１８／４３２０インチ（１／２４０インチ）の搬送処理が行われる。なお、この搬送量は微小量なので、搬送誤差も極めて微小である（搬送誤差は無視できる）。
【００９７】
２回目のパスでは、１回目のパスにより形成されたラスタラインの間に、ラスタラインが形成される。２回目のパスでも、ヘッドが移動方向の所定の位置に到達したとき、ノズル♯７６〜ノズル♯８７からインクが吐出される。ノズル♯７６は、台形パターンＡ１を構成する８／３６０インチのラスタラインを形成し（つまり、８個のドットを形成し）、６０／３６０インチの空走区間の後、逆台形パターンＡ２を構成する９２／３６０インチのラスタラインを形成する（つまり、９２個のドットを形成する）。そして、各ノズルは、搬送方向下流側に隣接するノズルよりも８／３６０インチ長いラスタラインを形成して台形パターンＡ１を構成するラスタラインを形成し、６０／３６０インチの空走区間の後、搬送方向下流側に隣接するノズルよりも８／３６０インチ短いラスタラインを形成して逆台形パターンＡ２を構成するラスタラインを形成する。これにより、ヘッドが移動方向の所定の位置に到達したとき、ノズル♯７６〜ノズル♯８７からのインクの吐出が停止される。
【００９８】
台形パターンＡ１を構成する２４本のラスタラインの右端の移動方向の位置は、４／３６０インチずつ徐々に変化している。これにより、台形パターンＡ１を巨視的に見たとき、搬送方向にも移動方向にも交差する方向の斜辺が形成される。また、逆台形パターンＡ２を構成する２４本のラスタラインの左端の移動方向の位置も、４／３６０インチずつ徐々に変化している。これにより、逆台形パターンＡ２を巨視的に見たとき、搬送方向にも移動方向にも交差する方向の斜辺が形成される。
【００９９】
＜パターンＢの印刷方法について＞
図１６は、パターンＢの印刷方法の説明図である。パターンＢも、２回のパスによって形成される。図中の左側には、１回目及び２回目のパスにおける紙に対するヘッドの位置（Ｂ列の位置）が示されている。パターンＢの形成時には、ノズル♯１〜ノズル♯８７からインクが吐出される。インクを吐出するノズルは、１回目のパスでは黒丸で示され、２回目のパスではハッチングで示されている。ヘッドは移動方向に往復移動可能であるが、パターンＢを形成するときには、ヘッドは一方の方向にしか移動していない。ここでは、ヘッドが図中の左から右へ移動するときに、パターンＢが形成されるものとする。  
図中の右側には、パターンＢを構成するラスタラインが示されている。１回目のパスにより形成されるラスタラインは黒で示されており、２回目のパスにより形成されるラスタラインはハッチングで示されている。
【０１００】
１回目のパスでは、ヘッドが移動方向の所定の位置に到達したとき、ノズル♯１３〜ノズル♯７５からインクが吐出される。ノズル♯１３〜ノズル♯７５は、長方形パターンＢ２を構成する１６０／３６０インチのラスタラインを形成する。ノズル♯１３〜ノズル♯７５がインクを吐出してから４／３６０インチ移動した後に、ノズル♯１からインクが吐出され、ノズル♯１は６０／３６０インチのラスタラインを形成する。ノズル♯１〜ノズル♯１２の各ノズルは、搬送方向下流側に隣接するノズルがインクを吐出してから８／３６０位置移動した後にインクを吐出して、６０／３６０インチのラスタラインを形成する。ノズル♯１〜ノズル♯１２が形成したラスタラインは、傾斜パターンＢ１を構成する。また、ノズル♯１３〜ノズル♯７５がインクを吐出してから４／３６０インチ移動した後に、ノズル♯８７からインクが吐出され、ノズル♯８７は６０／３６０インチのラスタラインを形成する。ノズル♯７６〜ノズル♯８７の各ノズルは、搬送方向上流側に隣接するノズルがインクを吐出してから８／３６０位置移動した後にインクを吐出して、６０／３６０インチのラスタラインを形成する。ノズル♯７６〜ノズル♯８７が形成したラスタラインは、傾斜パターンＢ３を構成する。
【０１０１】
１回目のパスの後、ノズルピッチの半分に相当する目標搬送量１８／４３２０インチ（１／２４０インチ）の搬送処理が行われる。なお、この搬送量は微小量なので、搬送誤差も極めて微小である（搬送誤差は無視できる）。
【０１０２】
２回目のパスでは、１回目のパスにより形成されたラスタラインの間に、ラスタラインが形成される。２回目のパスでも、ヘッドが移動方向の所定の位置に到達したとき、ノズル♯１３〜ノズル♯７５からインクが吐出される。ノズル♯１３〜ノズル♯７５は、長方形パターンＢ２を構成する１６０／３６０インチのラスタラインを形成する。ノズル♯１３〜ノズル♯７５がインクを吐出してから８／３６０インチ移動した後に、ノズル♯１からインクが吐出され、ノズル♯１は６０／３６０インチのラスタラインを形成する。ノズル♯１〜ノズル♯１２の各ノズルは、搬送方向下流側に隣接するノズルがインクを吐出してから８／３６０位置移動した後にインクを吐出して、６０／３６０インチのラスタラインを形成する。ノズル♯１〜ノズル♯１２が形成したラスタラインは、傾斜パターンＢ１を構成する。また、ノズル♯１３〜ノズル♯７５がインクを吐出してから８／３６０インチ移動した後に、ノズル♯８７からインクが吐出され、ノズル♯８７は６０／３６０インチのラスタラインを形成する。ノズル♯７６〜ノズル♯８７の各ノズルは、搬送方向上流側に隣接するノズルがインクを吐出してから８／３６０位置移動した後にインクを吐出して、６０／３６０インチのラスタラインを形成する。ノズル♯７６〜ノズル♯８７が形成したラスタラインは、傾斜パターンＢ３を構成する。なお、傾斜パターンＢ３は、ノズル♯７６〜ノズル♯８７により形成されるので、パターンＡを形成するノズルと同じノズルによって形成される。
【０１０３】
傾斜パターンＢ１を構成する２４本のラスタラインの左端の移動方向の位置は、４／３６０インチずつ徐々に変化している。傾斜パターンＢ１を構成する２４本のラスタラインの右端の移動方向の位置も、４／３６０インチずつ徐々に変化している。これにより、傾斜パターンＢ１を巨視的に見たとき、搬送方向にも移動方向にも交差する方向の斜辺が形成される。また同様に、傾斜パターンＢ３を巨視的に見たとき、搬送方向にも移動方向にも交差する方向の斜辺が形成される。
【０１０４】
＜パターンＣの印刷方法について＞
図１７は、パターンＣの印刷方法の説明図である。パターンＣも、２回のパスによって形成される。図中の左側には、１回目及び２回目のパスにおける紙に対するヘッドの位置（Ｂ列の位置）が示されている。パターンＣの形成時には、ノズル♯１〜ノズル♯１２からインクが吐出される。インクを吐出するノズルは、１回目のパスでは黒丸で示され、２回目のパスではハッチングで示されている。ヘッドは移動方向に往復移動可能であるが、パターンＣを形成するときには、ヘッドは一方の方向にしか移動していない。ここでは、ヘッドが図中の左から右へ移動するときに、パターンＣが形成されるものとする。  
図中の右側には、パターンＣを構成するラスタラインが示されている。１回目のパスにより形成されるラスタラインは黒で示されており、２回目のパスにより形成されるラスタラインはハッチングで示されている。
【０１０５】
１回目のパスでは、ヘッドが移動方向の所定の位置に到達したとき、ノズル♯１〜ノズル♯１２からインクが吐出される。ノズル♯１は、逆台形パターンＣ１を構成する９６／３６０インチのラスタラインを形成し（つまり、９６個のドットを形成し）、６０／３６０インチの空走区間の後、台形パターンＣ２を構成する４／３６０インチのラスタラインを形成する（つまり、４個のドットを形成する）。そして、各ノズルは、搬送方向下流側に隣接するノズルよりも８／３６０インチ短いラスタラインを形成して逆台形パターンＣ１を構成するラスタラインを形成し、６０／３６０インチの空走区間の後、搬送方向下流側に隣接するノズルよりも８／３６０インチ長いラスタラインを形成して台形パターンＣ２を構成するラスタラインを形成する。これにより、ヘッドが移動方向の所定の位置に到達したとき、ノズル♯１〜ノズル♯１２からのインクの吐出が停止される。
【０１０６】
１回目のパスの後、ノズルピッチの半分に相当する目標搬送量１８／４３２０インチ（１／２４０インチ）の搬送処理が行われる。なお、この搬送量は微小量なので、搬送誤差も極めて微小である（搬送誤差は無視できる）。
【０１０７】
２回目のパスでは、１回目のパスにより形成されたラスタラインの間に、ラスタラインが形成される。２回目のパスでも、ヘッドが移動方向の所定の位置に到達したとき、ノズル♯１〜ノズル♯１２からインクが吐出される。ノズル♯１は、逆台形パターンＣ１を構成する９２／３６０インチのラスタラインを形成し（つまり、９２個のドットを形成し）、６０／３６０インチの空走区間の後、台形パターンＣ２を構成する８／３６０インチのラスタラインを形成する（つまり、８個のドットを形成する）。そして、各ノズルは、搬送方向下流側に隣接するノズルよりも８／３６０インチ短いラスタラインを形成して逆台形パターンＣ１を構成するラスタラインを形成し、６０／３６０インチの空走区間の後、搬送方向下流側に隣接するノズルよりも８／３６０インチ長いラスタラインを形成して台形パターンＣ２を構成するラスタラインを形成する。これにより、ヘッドが移動方向の所定の位置に到達したとき、ノズル♯１〜ノズル♯１２からのインクの吐出が停止される。なお、パターンＣは、ノズル♯１〜ノズル♯１２により形成されるので、パターンＢの傾斜パターンＢ１を形成するノズルと同じノズルによって形成される。
【０１０８】
逆台形パターンＣ１を構成する２４本のラスタラインの右端の移動方向の位置は、４／３６０インチずつ徐々に変化している。これにより、逆台形パターンＣ１を巨視的に見たとき、搬送方向にも移動方向にも交差する方向の斜辺が形成される。また、台形パターンＣ２を構成する２４本のラスタラインの左端の移動方向の位置も、４／３６０インチずつ徐々に変化している。これにより、台形パターンＣ２を巨視的に見たとき、搬送方向にも移動方向にも交差する方向の斜辺が形成される。
【０１０９】
なお、逆台形パターンＣ１の２４本のラスタラインでは、搬送方向上流側ほど短くなっている。一方、台形パターンＡ１の２４本のラスタラインでは、搬送方向上流側ほど長くなっている。このため、巨視的に見たときに、逆台形パターンＣ１の斜辺は、台形パターンＡ１の斜辺と交差する方向になる。また、台形パターンＣ２の２４本のラスタラインでは、搬送方向上流側ほど長くなっている。一方、逆台形パターンＡ２の２４本のラスタラインでは、搬送方向上流側ほど短くなっている。このため、巨視的に見たときに、台形パターンＣ２の斜辺は、逆台形パターンＡ２の斜辺と交差する方向になる。
【０１１０】
＜全補正用パターンの印刷方法について＞
図１８は、テストシートの印刷方法の説明図である。  
図中の右側には、テストシートに形成される９個の補正用パターンが描かれている。  
図中の左側には、各パスにおける紙に対するヘッドの位置（Ｂ列の位置）が示されている。ヘッドの位置を示す長方形の中には、２個の数字と、Ａ〜Ｃの記号が記入されている。一番上の数字は、パスの番号を示している。中央の数字は、そのパスにおいて形成する補正用パターンの番号を示している。一番下の記号は、そのパスにおいて形成するパターン名を示している。例えば、一番左の長方形は、最初のパス（パス１）のときの紙に対するヘッドの位置を示し、そのパスにおいて、補正用パターン（−８）のパターンＡが形成される。  
図中の上側の表には、各パスにおいて形成する補正用パターンの番号及びパターン名と、各パスの間に行われる搬送処理の目標搬送量が示されている。この表からも、最初のパス（パス１）において補正用パターン（−８）のパターンＡが形成されることが示されている。また、この表から、パス１とパス２との間に行われる搬送処理において、媒体が目標搬送量１８／４３２０インチにて搬送されることが示されている。
【０１１１】
パス１〜パス１８では、各補正用パターンのパターンＡが形成される。各補正用パターンのパターンＡは、２回のパスによって形成される。例えば、補正用パターン（０）のパターンＡは、パス９及びパス１０によって形成される。このため、補正用パターン（０）のパターンＡにおいて、図１５の「１回目のパス」はパス９に相当し、「２回目のパス」はパス１０に相当する。パターンＡを形成する２回のパスの間では、目標搬送量１８／４３２０インチの搬送処理が行われる。ある補正用パターンのパターンＡの形成後、目標搬送量１８／４３２０インチの搬送処理が行われ、次の補正用パターンのパターンＡが形成される。このため、ある補正用パターンのパターンＡは、その直前に形成された補正用パターンのパターンＡと比較して、３６／４３２０インチだけ搬送方向上流側に形成される。
【０１１２】
パス１８の後、パス３５までの間、目標搬送量１３２／４３２０インチの搬送処理が繰り返し行われる。なお、パス１９〜パス３５では、形成すべきパターンがないので、インクの吐出やヘッドの移動は行われずに、省略される。パス３５とパス３６との間では、目標搬送量１４２／４３２０インチの搬送処理が行われる。
【０１１３】
パス３６〜パス５３では、各補正用パターンのパターンＢが形成される。各補正用パターンのパターンＢは、２回のパスによって形成される。例えば、補正用パターン（０）のパターンＢは、パス４４及びパス４５によって形成される。このため、補正用パターン（０）のパターンＢにおいて、図１６の「１回目のパス」はパス４４に相当し、「２回目のパス」はパス４５に相当する。パターンＢを形成する２回のパスの間では、目標搬送量１８／４３２０インチの搬送処理が行われる。ある補正用パターンのパターンＢの形成後、目標搬送量２０／４３２０インチの搬送処理が行われ、次の補正用パターンのパターンＢが形成される。このため、ある補正用パターンのパターンＢは、その直前に形成された補正用パターンのパターンＢと比較して、３８／４３２０インチだけ搬送方向上流側に形成される。この結果、ある補正用パターンのパターンＡとパターンＢとの位置関係は、その直前に形成された補正用パターンと比較すると、２／４３２０インチだけ離れている。
【０１１４】
パス５３の後、パス７０までの間、目標搬送量１３２／４３２０インチの搬送処理が繰り返し行われる。なお、パス５４〜パス７０では、形成すべきパターンがないので、インクの吐出やヘッドの移動は行われずに、省略される。パス７０とパス７１との間では、目標搬送量１２６／４３２０インチの搬送処理が行われる。
【０１１５】
パス７１〜パス８８では、各補正用パターンのパターンＣが形成される。各補正用パターンのパターンＣは、２回のパスによって形成される。例えば、補正用パターン（０）のパターンＣは、パス７９及びパス８０によって形成される。このため、補正用パターン（０）のパターンＣにおいて、図１７の「１回目のパス」はパス７９に相当し、「２回目のパス」はパス８０に相当する。パターンＣを形成する２回のパスの間では、目標搬送量１８／４３２０インチの搬送処理が行われる。ある補正用パターンのパターンＣの形成後、目標搬送量２２／４３２０インチの搬送処理が行われ、次の補正用パターンのパターンＣが形成される。このため、ある補正用パターンのパターンＣは、その直前に形成された補正用パターンのパターンＣと比較して、４０／４３２０インチだけ搬送方向上流側に形成される。この結果、ある補正用パターンのパターンＢとパターンＣとの位置関係は、その直前に形成された補正用パターンと比較すると、２／４３２０インチだけ離れている。
【０１１６】
＝＝＝補正用パターンの特性＝＝＝
＜搬送誤差がＤＣ成分及びＡＣ成分とも無い場合＞
図１９は、搬送誤差がＤＣ成分及びＡＣ成分とも無い場合の補正用パターンの状態の説明図である。図１９では、説明のため、各パターンの輪郭を線で示しており、パターンの内部が空白になっている。しかし、実際の補正用パターンは、巨視的には図１３に示すように塗りつぶされたパターンであり、微視的には図１５〜図１７に示すようにラスタラインから構成されたパターンである。また、図１９では、パターン同士が重なる部分を黒く塗りつぶしている。
【０１１７】
補正用パターン（０）では、台形パターンＡ１を構成する２４本のラスタライン、傾斜パターンＢ１を構成する２４本のラスタライン、及び、逆台形パターンＡ２を構成する２４本のラスタラインは、全て搬送方向の位置が同じになる。また、台形パターンＡ１を構成する２４本のラスタラインの右端と、逆台形パターンＡ２を構成する２４本のラスタラインの左端との間に、ちょうど傾斜パターンＢ１を構成する２４本のラスタラインが位置する。この結果、台形パターンＡ１を構成する２４本のラスタライン、傾斜パターンＢ１を構成する２４本のラスタライン、及び、逆台形パターンＡ２を構成する２４本のラスタラインは、２４本の１６０／３６０インチのラスタラインのようにそれぞれつながる。つまり、台形パターンＡ１及び傾斜パターンＢ１がぴったりつながり、逆台形パターンＡ２及び傾斜パターンＢ１もぴったりつながる。  
このため、補正用パターン（０）では、境界Ａ１Ｂ１及び境界Ａ２Ｂ２は、視認することができない。同様に、境界Ｃ１Ｂ３及び境界Ｃ２Ｂ３も、視認することができない。
【０１１８】
マイナスの番号の付された補正用パターンでは、パターンＡに対してパターンＢが搬送方向下流側にずれて形成される。つまり、マイナスの番号の付された補正用パターンのパターンＡとパターンＢとの位置関係が、補正用パターン（０）のパターンＡとパターンＢとの位置関係と比較して、近づく。この結果、台形パターンＡ１と傾斜パターンＢ１が離れ、逆台形パターンＡ２と傾斜パターンＢ１は重なる。  
このため、マイナスの番号の付された補正用パターンでは、境界Ａ１Ｂ１は淡く視認されて白スジが生じ、境界Ａ２Ｂ１は濃く視認されて黒スジが生じる。同様に、境界Ｃ１Ｂ３は淡く視認されて白スジが生じ、境界Ｃ２Ｂ３は濃く視認されて黒スジが生じる。  
さらに、大きなマイナスの番号が付された補正用パターンほど、パターンＡとパターンＢが大きく近づき、パターンＢとパターンＣが大きく近づく。この結果、台形パターンＡ１と傾斜パターンＢ１が大きく離れ、逆台形パターンＡ２と傾斜パターンＢ１は大きく重なる。このため、大きなマイナスの番号が付された補正用パターンほど、白スジや黒スジが、はっきり視認される。
【０１１９】
プラスの番号の付された補正用パターンでは、パターンＡに対してパターンＢが搬送方向上流側にずれて形成される。つまり、プラスの番号の付された補正用パターンのパターンＡとパターンＢとの位置関係が、補正用パターン（０）のパターンＡとパターンＢとの位置関係と比較して、離れる。この結果、台形パターンＡ１と傾斜パターンＢ１が重なり、逆台形パターンＡ２と傾斜パターンＢ１が離れる。  
このため、プラスの番号の付された補正用パターンでは、境界Ａ１Ｂ１は濃く視認されて黒スジが生じ、境界Ａ２Ｂ１は淡く視認されて白スジが生じる。同様に、境界Ｃ１Ｂ３は濃く視認されて黒スジが生じ、境界Ｃ２Ｂ３は淡く視認されて白スジが生じる。  
さらに、大きなプラスの番号が付された補正用パターンほど、パターンＡとパターンＢが大きく離れ、パターンＢとパターンＣが大きく離れる。この結果、台形パターンＡ１と傾斜パターンＢ１が大きく重なり、逆台形パターンＡ２と傾斜パターンＢ１は大きく離れる。このため、大きなプラスの番号が付された補正用パターンほど、白スジや黒スジが、はっきり視認される。
【０１２０】
なお、本実施形態では、パターンＡとパターンＢとの間に、２つの境界（境界Ａ１Ｂ１及び境界Ａ２Ｂ１）が形成されている。そして、境界Ａ１Ｂ１では、パターンＡの台形パターンＡ１がパターンＢの傾斜パターンＢ１よりも搬送方向上流側に位置し、境界Ａ１Ｂ２では、パターンＢの傾斜パターンＢ１がパターンＡの逆台形パターンＡ２よりも搬送方向上流側に位置する。このように構成することにより、パターンＡとパターンＢとの位置関係が変化したときに、パターンＡとパターンＢとの境界に白スジと黒スジの両方を発生させることができる。これにより、検査者の視認性が良くなる。
【０１２１】
同様に、本実施形態では、パターンＢとパターンＣとの間に、２つの境界（境界Ｃ１Ｂ３及び境界Ｃ２Ｂ３）が形成されている。そして、境界Ｃ１Ｂ３では、パターンＢの傾斜パターンＢ３がパターンＣの逆台形パターンＣ１よりも搬送方向上流側に位置し、境界Ｃ２Ｂ３では、パターンＣの台形パターンＣ２がパターンＢの傾斜パターンＢ３よりも搬送方向上流側に位置する。このように構成することにより、パターンＢとパターンＣとの位置関係が変化したときに、パターンＢとパターンＣとの境界に白スジと黒スジの両方を発生させることができる。これにより、検査者の視認性が良くなる。
【０１２２】
また、本実施形態では、境界Ａ１Ｂ１及び境界Ａ２Ｂ１が平行になっている。これにより、パターンＡとパターンＢとの位置関係がいずれの方向へ変化しても、白スジ及び黒スジが同じ程度の幅で発生するので、検査者の視認性が良い。同様に、境界Ｃ１Ｂ３及び境界Ｃ２Ｂ３が平行になっているので、検査者の視認性が良い。
【０１２３】
＜ＤＣ成分の搬送誤差がある場合＞
次に、ＤＣ成分の誤差のみが生じた場合について説明する。ここでは、目標搬送量よりも多い搬送量にて紙が搬送される場合について説明する。
【０１２４】
図２０Ａは、目標搬送量よりも多い搬送量にて紙が搬送される場合の補正用パターン（０）の状態の説明図である。  
ここでは目標搬送量よりも多い搬送量にて紙が搬送されているので、補正用パターン（０）のパターンＡを形成するパス１０からパターンＢを形成するパス４４までの間に行われる搬送処理の搬送量は、目標搬送量よりも多くなる。このため、補正用パターン（０）のパターンＢは、搬送誤差が無い場合と比較して、搬送方向上流側にずれて形成される。つまり、目標搬送量よりも多く紙が搬送される結果、パターンＡとパターンＢとの位置関係が離れる。この結果、台形パターンＡ１と傾斜パターンＢ１が重なり、逆台形パターンＡ２と傾斜パターンＢ１が離れる。このため、補正用パターン（０）では、境界Ａ１Ｂ１は濃く視認されて黒スジが生じ、境界Ａ２Ｂ１は淡く視認されて白スジが生じる。同様に、補正用パターン（０）では、境界Ｃ１Ｂ３は濃く視認されて黒スジが生じ、境界Ｃ２Ｂ３は淡く視認されて白スジが生じる。  
つまり、目標搬送量よりも多い搬送量にて紙が搬送される場合における補正用パターン（０）の境界は、搬送誤差が無い場合におけるプラスの番号の付された補正用パターンの境界に近似した状態である。
【０１２５】
図２０Ｂは、この場合の９個の補正用パターンの状態の説明図である。  
ここでは目標搬送量よりも多い搬送量にて紙が搬送されているので、各補正用パターンのパターンＡとパターンＢとの位置関係は、搬送誤差が無い場合と比較して、離れる。この結果、マイナスの番号の付された補正用パターンの白スジや黒スジが軽減される。  
そして、搬送ローラ２３の半回転中に、例えば目標搬送量よりも４／４３２０インチだけ多い搬送量で紙が搬送されるのであれば、補正用パターン（０）よりもパターンＡとパターンＢとの位置関係が４／４３２０インチだけ近づいている補正用パターン（−４）において、境界Ａ１Ｂ１及び境界Ａ２Ｂ１が見えにくくなる。同様に、搬送ローラ２３の半回転中に、例えば目標搬送量よりも４／４３２０インチだけ多い搬送量で紙が搬送されるのであれば、補正用パターン（０）よりもパターンＢとパターンＣとの位置関係が４／４３２０インチだけ近づいている補正用パターン（−４）において、境界Ｃ１Ｂ３及び境界Ｃ２Ｂ３が見えにくくなる。
【０１２６】
言い換えると、目標搬送量よりも多い搬送量にて紙が搬送される場合、境界Ａ１Ｂ１及び境界Ａ２Ｂ１が見え難い補正用パターンは、マイナスの番号が付された補正用パターンになる。同様に、目標搬送量よりも多い搬送量にて紙が搬送される場合、境界Ｃ１Ｂ３及び境界Ｃ２Ｂ３が見え難い補正用パターンは、マイナスの番号が付された補正用パターンになる。  
逆に、目標搬送量よりも少ない搬送量にて紙が搬送される場合、境界Ａ１Ｂ１及び境界Ａ２Ｂ１が見え難い補正用パターンは、プラスの番号が付された補正用パターンになる。同様に、目標搬送量よりも少ない搬送量にて紙が搬送される場合、境界Ｃ１Ｂ３及び境界Ｃ２Ｂ３が見え難い補正用パターンは、プラスの番号が付された補正用パターンになる。
【０１２７】
このように、ＤＣ成分の誤差のみが生じた場合、境界Ａ１Ｂ１及び境界Ａ２Ｂ１が最も見え難い補正用パターンと、境界Ｃ１Ｂ３及び境界Ｃ２Ｂ３が最も見え難い補正用パターンは、同じになる。また、ＤＣ成分の誤差が大きいほど、境界の最も見え難い補正用パターンは、補正用パターン（０）から離れた位置の補正用パターンになる。  
従って、ＤＣ成分の誤差のみが生じた場合、境界の最も見え難い補正用パターンの番号は、ＤＣ成分の搬送誤差を反映し、ＤＣ成分の搬送誤差を補正するための補正値に対応する値にもなる。
【０１２８】
＜ＡＣ成分誤差がある場合＞
次に、ＡＣ成分の誤差のみが生じた場合について説明する。ここでは、図１１ＡのようなＡＣ成分の搬送誤差が生じるものとし、パターンＡの形成時の搬送ローラの回転位置が、基準位置から１／４回転した位置であるものとする。つまり、パターンＡの形成とパターンＢの形成の間に行われる搬送処理では、目標搬送量よりも少ない搬送量にて紙が搬送され、パターンＢの形成とパターンＣの形成の間に行われる搬送処理では、目標搬送量よりも多い搬送量にて紙が搬送される。
【０１２９】
図２１Ａは、ＡＣ成分の誤差が生じた場合の補正用パターン（０）の状態の説明図である。  
補正用パターン（０）のパターンＢは、目標搬送量よりも少ない搬送量にて紙が搬送された後に形成されるので、搬送誤差が無い場合と比較して、搬送方向下流側にずれて形成される。このため、パターンＡとパターンＢとの位置関係は近づく。この結果、台形パターンＡ１と傾斜パターンＢ１が離れ、逆台形パターンＡ２と傾斜パターンＢ１が重なる。このため、補正用パターン（０）では、境界Ａ１Ｂ１は淡く視認されて白スジが生じ、境界Ａ２Ｂ１は濃く視認されて黒スジが生じる。つまり、この場合における補正用パターン（０）の上部の境界は、搬送誤差が無い場合におけるマイナスの番号の付された補正用パターンの上部の境界に近似した状態である。
【０１３０】
一方、ＡＣ成分の搬送誤差はほぼサインカーブになるため、パターンＢの形成からパターンＣの形成までの間に行われる搬送ローラ半回転分の搬送量には、パターンＡの形成からパターンＢの形成までの間に行われる搬送ローラ半回転分の搬送量に含まれる搬送誤差と逆の搬送誤差が含まれている。このため、パターンＢとパターンＣとの位置関係は、パターンＡとパターンＢとの位置関係とは逆に、離れる。この結果、逆台形パターンＣ１と傾斜パターンＢ３が重なり、台形パターンＣ２と傾斜パターンＢ３は離れる。このため、補正用パターン（０）では、境界Ｃ１Ｂ３は濃く視認されて黒スジが生じ、境界Ｃ２Ｂ３は淡く視認されて白スジが生じる。つまり、この場合における補正用パターン（０）の下部の境界は、搬送誤差が無い場合におけるプラスの番号の付された補正用パターンの上部の境界に近似した状態である。
【０１３１】
図２１Ｂは、この場合の９個の補正用パターンの状態の説明図である。  
各補正用パターンのパターンＡとパターンＣとの位置関係に注目すると、ここではＡＣ成分の誤差のみが生じておりＤＣ成分の誤差は生じていないので、図１９のパターンＡとパターンＣとの位置関係と同じである。但し、パターンＢは、パターンＡ及びパターンＣに対して、ＡＣ成分の誤差の影響で搬送方向下流側にずれている。
【０１３２】
各補正用パターンのパターンＡとパターンＢとの位置関係は、搬送誤差が無い場合と比較して近づいているので、プラスの番号の付された補正用パターンの白スジや黒スジが軽減される。逆に、各補正用パターンのパターンＢとパターンＣとの位置関係は、搬送誤差が無い場合と比較して離れているので、マイナスの番号の付された補正用パターンの白スジや黒スジが軽減される。
【０１３３】
仮に、ＡＣ成分の影響のため、パターンＢがパターンＡ及びパターンＣに対して搬送方向下流側に４／４３２０インチだけ位置を変化させたとする。この場合、境界Ａ１Ｂ１及び境界Ａ２Ｂ１は、補正用パターン（０）よりもパターンＡとパターンＢとの位置関係が４／４３２０インチだけ離れている補正用パターン（＋４）において、最も見え難くなる。一方、境界Ｃ１Ｂ３及び境界Ｃ２Ｂ３は、補正用パターン（０）よりもパターンＢとパターンＣとの位置関係が４／４３２０インチだけ近づく補正用パターン（−４）において、最も見え難くなる。
【０１３４】
このように、ＡＣ成分の誤差のみが生じた場合、境界Ａ１Ｂ１及び境界Ａ２Ｂ１が最も見え難い補正用パターンと、境界Ｃ１Ｂ３及び境界Ｃ２Ｂ３が最も見え難い補正用パターンとは、補正用パターン（０）を挟んで反対側になる。言い換えると、補正用パターン（０）は、境界Ａ１Ｂ１及び境界Ａ２Ｂ１が最も見え難い補正用パターンと、境界Ｃ１Ｂ３及び境界Ｃ２Ｂ３が最も見え難い補正用パターンとの中間に位置する。また、ＡＣ成分の誤差が大きいほど、境界の最も見え難い補正用パターンは、補正用パターン（０）から離れた位置の補正用パターンになる。
【０１３５】
なお、ＤＣ成分とＡＣ成分の誤差が両方生じた場合、前述の図２０Ｂの状態と図２１Ｂの状態とを重ね合わせた状態になる。すなわち、この場合、境界Ａ１Ｂ１及び境界Ａ２Ｂ１が最も見え難い補正用パターンと、境界Ｃ１Ｂ３及び境界Ｃ２Ｂ３が最も見え難い補正用パターンとは、ＤＣ成分の搬送誤差に対応する番号の補正用パターンを挟んで反対側になる。言い換えると、境界Ａ１Ｂ１及び境界Ａ２Ｂ１が最も見え難い補正用パターンと、境界Ｃ１Ｂ３及び境界Ｃ２Ｂ３が最も見え難い補正用パターンとの中間に、ＤＣ成分の搬送誤差に対応する番号の補正用パターンがある。
【０１３６】
＜着弾位置ずれがある場合＞
図２２は、各ノズルのインク吐出速度Ｖｍの説明図である。各ノズルのインク吐出速度Ｖｍは、ヘッドの製造ばらつき等の影響により、異なっている。隣接するノズル同士では近似したインク吐出速度になるが、離れたノズル同士ではインク吐出速度Ｖｍが大きく異なることがある。ここでは、搬送方向下流側のノズル（ノズル♯１付近のノズル）は、搬送方向上流側のノズル（ノズル♯９０付近のノズル）と比較して、インク吐出速度が速い。
【０１３７】
移動方向に移動する各ノズルからインクを吐出した場合、インク吐出速度の速いノズルから吐出されたインク滴ほど早く着弾するため、インク吐出速度の速いノズルにより形成されたドットは、インク吐出速度の遅いノズルにより形成されたドットと比べて、移動方向の上流側に形成される。このため、搬送方向下流側のノズル（ノズル♯１付近のノズル）により形成されるパターンは、搬送方向上流側のノズル（ノズル♯９０付近のノズル）により形成されるパターンと比べて、移動方向上流側に位置する。
【０１３８】
図２３Ａは、インク吐出速度Ｖｍが異なる場合の補正用パターン（０）の状態の説明図である。  
台形パターンＡ１及び逆台形パターンＡ２は搬送方向上流側のノズル（ノズル♯７６〜ノズル♯８６）により形成され、傾斜パターンＢ１は搬送方向下流側のノズル（ノズル♯１〜ノズル♯１２）により形成される。このため、台形パターンＡ１及び逆台形パターンＡ２は、傾斜パターンＢ１に対して相対的に、移動方向下流側に（図中の右側に）位置する。この結果、台形パターンＡ１と傾斜パターンＢ１が重なり、逆台形パターンＡ２と傾斜パターンＢ１が離れる。このため、補正用パターン（０）では、境界Ａ１Ｂ１は濃く視認されて黒スジが生じ、境界Ａ２Ｂ１は淡く視認されて白スジが生じる。つまり、この場合における補正用パターン（０）の境界Ａ１Ｂ１及び境界Ａ２Ｂ１は、搬送誤差が無い場合におけるプラスの番号の付された補正用パターンの境界Ａ１Ｂ１及び境界Ａ２Ｂ１に近似した状態である（但し、境界Ａ１Ｂ２は異なる状態である）。
【０１３９】
一方、逆台形パターンＣ１及び台形パターンＣ２は搬送方向下流側のノズル（ノズル♯１〜ノズル♯１２）により形成され、傾斜パターンＢ３は搬送方向上流側のノズル（ノズル♯７６〜ノズル♯８６）により形成される。このため、逆台形パターンＣ１及び台形パターンＣ２は、傾斜パターンＢ３に対して相対的に、移動方向上流側に（図中の左側に）位置する。この結果、逆台形パターンＣ１と傾斜パターンＢ３が離れ、台形パターンＣ２と傾斜パターンＢ３が重なる。このため、補正用パターン（０）では、境界Ｃ１Ｂ３は淡く視認されて白スジが生じ、境界Ｃ２Ｂ３は濃く視認されて黒スジが生じる。つまり、この場合における補正用パターン（０）の境界Ｃ１Ｂ３及び境界Ｃ２Ｂ３は、搬送誤差が無い場合におけるマイナスの番号の付された補正用パターンの境界Ｃ１Ｂ３及び境界Ｃ２Ｂ３に近似した状態である（但し、境界Ｃ１Ｂ２は異なる状態である）。
【０１４０】
なお、パターンＡを形成するノズルと、傾斜パターンＢ３を形成するノズルは、同じである。また、各補正用パターンにおいて、傾斜パターンＢ１を形成するノズルと、パターンＣを形成するノズルは、同じである。このため、傾斜パターンＢ１に対するパターンＡの相対的な位置関係の変化量と、パターンＣに対する傾斜パターンＢ３の相対的な位置関係の変化量とは、同じになる。言い換えると、パターンＡが傾斜パターンＢ１に対して右側に位置がずれた分だけ、パターンＣが傾斜パターンＢ３に対して左側に位置がずれる。
【０１４１】
図２３Ｂは、この場合の９個の補正用パターンの状態の説明図である。  
各補正用パターンのパターンＡは、パターンＢの傾斜パターンＢ１に対して相対的に、移動方向下流側に（図中の右側に）位置する。また、各補正用パターンのパターンＢの傾斜パターンＢ３は、パターンＣに対して相対的に、移動方向上流側に（図中の右側に）位置する。
【０１４２】
マイナスの番号の付された補正用パターンでは、補正用パターン（０）と比較して、パターンＡとパターンＢとの位置関係が近づく。このため、マイナスの番号の付された補正用パターンでは、補正用パターン（０）と比較して、境界Ａ１Ｂ１の黒スジ及び境界Ａ２Ｂ１の白スジが軽減される。  
プラスの番号の付された補正用パターンでは、補正用パターン（０）と比較して、パターンＢ及びパターンＣとの位置関係が離れる。このため、プラスの番号の付された補正用パターンでは、補正用パターン（０）と比較して、境界Ｃ１Ｂ３の白スジ及び境界Ｃ２Ｂ３の黒スジが軽減される。
【０１４３】
そして、各補正用パターンでは、パターンＡが傾斜パターンＢ１に対して右側に位置がずれた分だけ、パターンＣが傾斜パターンＢ３に対して左側に位置がずれている。このため、境界Ａ１Ｂ１及び境界Ａ２Ｂ１が最も見え難い補正用パターンと、境界Ｃ１Ｂ３及び境界Ｃ２Ｂ３が最も見え難い補正用パターンとは、補正用パターン（０）を挟んで反対側になる。言い換えると、補正用パターン（０）は、境界Ａ１Ｂ１及び境界Ａ２Ｂ１が最も見え難い補正用パターンと、境界Ｃ１Ｂ３及び境界Ｃ２Ｂ３が最も見え難い補正用パターンとの中間に位置する。例えば図中では、境界Ａ１Ｂ１及び境界Ａ２Ｂ１が最も見え難い補正用パターン（−４）と、境界Ｃ１Ｂ３及び境界Ｃ２Ｂ３が最も見え難い補正用パターン（＋４）とは、補正用パターン（０）を挟んで反対側になっている。なお、ノズルのインク吐出速度の差が大きいほど、境界の最も見え難い補正用パターンは、補正用パターン（０）から離れた位置の補正用パターンになる。
【０１４４】
なお、境界Ａ１Ｂ１及び境界Ａ２Ｂ１が最も見え難い補正用パターン（−４）の境界Ａ１Ｂ２には、黒スジが生じている。また、境界Ｃ１Ｂ３及び境界Ｃ２Ｂ３が最も見え難い補正用パターン（＋４）の境界Ｃ１Ｂ２には、白スジが生じている。但し、後述するように、境界Ａ１Ｂ２及び境界Ｃ１Ｂ２は、検査時には用いられない。
【０１４５】
ＤＣ成分の搬送誤差が生じた場合であってノズルのインク吐出速度の差がある場合、前述の図２０Ｂの状態と図２３Ｂの状態とを重ね合わせた状態になる。すなわち、この場合、境界Ａ１Ｂ１及び境界Ａ２Ｂ１が最も見え難い補正用パターンと、境界Ｃ１Ｂ３及び境界Ｃ２Ｂ３が最も見え難い補正用パターンとは、ＤＣ成分の搬送誤差に対応する番号の補正用パターンを挟んで反対側になる。言い換えると、境界Ａ１Ｂ１及び境界Ａ２Ｂ１が最も見え難い補正用パターンと、境界Ｃ１Ｂ３及び境界Ｃ２Ｂ３が最も見え難い補正用パターンとの中間に、ＤＣ成分の搬送誤差に対応する番号の補正用パターンがある。
【０１４６】
また、ＡＣ成分の搬送誤差が生じた場合も、ノズルのインク吐出速度の差がある場合も、境界Ａ１Ｂ１及び境界Ａ２Ｂ１が最も見え難い補正用パターンと、境界Ｃ１Ｂ３及び境界Ｃ２Ｂ３が最も見え難い補正用パターンとは、ＤＣ成分の搬送誤差に対応する番号の補正用パターンを挟んで反対側になる。このため、ＡＣ成分の搬送誤差が生じた場合であってノズルのインク吐出速度の差がある場合において、前述の図２１Ｂの状態と図２３Ｂの状態とが重ねあわされても、境界Ａ１Ｂ１及び境界Ａ２Ｂ１が最も見え難い補正用パターンと、境界Ｃ１Ｂ３及び境界Ｃ２Ｂ３が最も見え難い補正用パターンとは、ＤＣ成分の搬送誤差に対応する番号の補正用パターンを挟んで反対側になる。言い換えると、この場合にも、境界Ａ１Ｂ１及び境界Ａ２Ｂ１が最も見え難い補正用パターンと、境界Ｃ１Ｂ３及び境界Ｃ２Ｂ３が最も見え難い補正用パターンとの中間に、ＤＣ成分の搬送誤差に対応する番号の補正用パターンがある。
【０１４７】
図２４Ａは、比較例の補正用パターンの説明図である。比較例の補正用パターンでは、傾斜パターンＢ３の斜辺の方向が傾斜パターンＢ１の斜辺の方向と同じになっている。
【０１４８】
図２４Ｂは、比較例の９個の補正用パターンの状態の説明図である。ここでは、説明のため、搬送誤差はＤＣ成分及びＡＣ成分とも無い状態であり、ノズルのインク吐出速度の差だけがある状態である。図に示すように、この場合、境界Ａ１Ｂ１及び境界Ａ２Ｂ１が最も見え難い補正用パターンと、境界Ｃ１Ｂ３及び境界Ｃ２Ｂ３が最も見え難い補正用パターンは、同じになる。このような状態でＤＣ成分及びＡＣ成分の誤差が生じると、境界Ａ１Ｂ１及び境界Ａ２Ｂ１が最も見え難い補正用パターンと、境界Ｃ１Ｂ３及び境界Ｃ２Ｂ３が最も見え難い補正用パターンとの中間に、ＤＣ成分の搬送誤差に対応する番号の補正用パターンがあることが保障されない。
【０１４９】
＝＝＝テストシートの検査方法＝＝＝
図２５は、テストシートの検査方法のフロー図である。図２６は、テストシートの検査手順の説明図である。以下、これらの図を用いて、本実施形態のテストシートの検査方法を説明する。
【０１５０】
まず、検査者は、左の補正用パターンから順に、補正用パターンの上部（搬送方向下流側）に位置する境界Ａ１Ｂ１及び境界Ａ２Ｂ１を検査する（図２５のＳ１２１、図２６の丸１参照）。最初に検査される補正用パターン（−８）では、境界Ａ１Ｂ１で白スジが生じており、境界Ａ２Ｂ１で黒スジが生じている。そして、補正用パターン（−８）よりも右側の補正用パターンほど、境界Ａ１Ｂ１の白スジや境界Ａ２Ｂ１の黒スジが軽減されてくる。なお、補正用パターンの上部の境界の検査の際には、境界Ａ１Ｂ２（移動方向に沿った境界）の状態は無視される。
【０１５１】
そして、検査者は、最適な境界Ａ１Ｂ１及び境界Ａ２Ｂ１の補正用パターンを選択する（図２５のＳ１２２、図２６の丸２参照）。ここでは、境界Ａ１Ｂ１及び境界Ａ２Ｂ１が最も視認し難い補正用パターン、すなわち、補正用パターンの上部において斜めの白スジ及び黒スジが見え難い補正用パターンが、最適な境界Ａ１Ｂ１及び境界Ａ２Ｂ１の補正用パターンとして選択される。この場合、検査者は、補正用パターン（＋２）を選択するであろう。（補正用パターン（＋２）よりも右側の補正用パターンでは、境界Ａ１Ｂ１で黒スジが生じ、境界Ａ２Ｂ１で白スジが生じている。）なお、境界Ａ１Ｂ２に白スジや黒スジが生じていても、最適な境界Ａ１Ｂ１及び境界Ａ２Ｂ１の判断には何ら影響を与えない。
【０１５２】
次に、検査者は、右の補正用パターンから順に、補正用パターンの下部（搬送方向上流側）に位置する境界Ｃ１Ｂ３及び境界Ｃ２Ｂ３を検査する（図２５のＳ１２３、図２６の丸３参照）。最初に検査される補正用パターン（＋８）では、境界Ｃ１Ｂ３で黒スジが生じており、境界Ｃ２Ｂ３で白スジが生じている。そして、補正用パターン（＋８）よりも左側の補正用パターンほど、境界Ｃ１Ｂ３の黒スジや境界Ｃ２Ｂ３の白スジが軽減されてくる。なお、補正用パターンの下部の境界の検査の際には、境界Ｃ１Ｂ２（移動方向に沿った境界）の状態は無視される。
【０１５３】
そして、検査者は、最適な境界Ｃ１Ｂ３及び境界Ｃ２Ｂ３の補正用パターンを選択する（図２５のＳ１２４、図２６の丸４参照）。ここでは、境界Ｃ１Ｂ３及び境界Ｃ２Ｂ３が最も視認し難い補正用パターン、すなわち、補正用パターンの上部において斜めの白スジ及び黒スジが見え難い補正用パターンが、最適な境界Ｃ１Ｂ３及び境界Ｃ２Ｂ３の補正用パターンとして選択される。この場合、検査者は、補正用パターン（−６）を選択するであろう。（補正用パターン（−６）よりも左側の補正用パターンでは、境界Ｃ１Ｂ３で白スジが生じ、境界Ｃ２Ｂ３で黒スジが生じている。）なお、境界Ｃ１Ｂ２に白スジや黒スジが生じていても、最適な境界Ｃ１Ｂ３及び境界Ｃ２Ｂ３の判断には何ら影響を与えない。
【０１５４】
次に、検査者は、Ｓ１２２で選択された補正用パターンの番号と、Ｓ１２４で選択された補正用パターンの番号との中央値を算出する（Ｓ１２５）。この場合、Ｓ１２２で補正用パターン（＋２）が選択され、Ｓ１２４で補正用パターン（−６）が選択されるので、中央値として「−２」が算出される。
【０１５５】
この中央値は、ＤＣ成分の搬送誤差を示す値になる。なお、この中央値の番号の補正用パターン（−２）が、最適な境界の補正用パターン（＋２）及び補正用パターン（−６）と異なっている理由は、ＡＣ成分の搬送誤差の影響や、ノズルのインク吐出速度の影響によるものである。言い換えると、ＡＣ成分の搬送誤差の影響や、ノズルのインク吐出速度の影響を受けても、最適な境界の補正用パターン（＋２）の番号と補正用パターン（−６）の番号の中央値は、ＤＣ成分の搬送誤差を示す値になる。
【０１５６】
この後、検査者は、算出された中央値を、プリンタに接続された検査用コンピュータに入力する。検査用コンピュータは、入力された中央値に基づいて補正値を決定（Ｓ１０３）し、プリンタのメモリに補正値を記録する（Ｓ１０４）。この補正値は、ＤＣ成分の搬送誤差を補正するためのものである。すなわち、この補正値は、目標搬送量が搬送ローラの１回転分の１．２５インチのときの補正量を示すものである。  
これにより、製造工場で製造されたプリンタ毎に、各プリンタに適した補正値が各プリンタのメモリに記録される。
【０１５７】
そして、プリンタを購入したユーザーの下で印刷が行われる際に、コントローラ６０は、搬送ローラの１回転分の目標搬送量を補正値に基づいて補正し、補正された目標搬送量に基づいて搬送処理を行う。これにより、紙が目標搬送量通りに搬送されるので、印刷画像の画質が向上する。
【０１５８】
＜比較例の検査方法＞
図２７は、比較例の検査手順の説明図である。比較例では、前述の検査方法のフローのＳ１２３において、右からではなく、左から順に検査を行っている（図中の丸３参照）。ここでは、図２６のときよりもＡＣ成分の搬送誤差が若干少ないため、補正用パターンの上部の境界Ａ１Ｂ１及び境界Ａ２Ｂ１の判断の際に、補正用パターン（０）と補正用パターン（＋２）との間で優劣の判断がつかない状態である。同様に、補正用パターンの下部の境界Ｃ１Ｂ３及び境界Ｃ２Ｂ３の判断の際に、補正用パターン（−６）と補正用パターン（−４）との間で優劣の判断がつかない状態である。
【０１５９】
このようなときに、補正用パターンの上部の境界の判断順序の方向（図中の丸１参照）と、補正用パターンの下部の境界の判断順序の方向（図中の丸３参照）とを一致させると、選択される補正用パターンが左寄りになり、補正用パターン（０）と補正用パターン（−６）とが選択される。この結果、中央値の値が「−３」と算出され、実際のＤＣ成分の搬送誤差に対してマイナス側に大きく評価されてしまう。
【０１６０】
このため、本実施形態では、Ｓ１２１では左から順に補正用パターンの上部の境界を検査し、Ｓ１２３では右から順に補正用パターンの下部の境界を検査し、両者の検査順序を逆方向にしている。これにより、実際のＤＣ成分の搬送誤差に対応する中央値を算出することができる。つまり、境界Ａ１Ｂ１及び境界Ａ２Ｂ１が最も見え難い補正用パターンと、境界Ｃ１Ｂ３及び境界Ｃ２Ｂ３が最も見え難い補正用パターンとが、ＤＣ成分の搬送誤差に対応する番号の補正用パターンを挟んで反対側になるような本実施形態の場合には、両者の境界をそれぞれ逆方向から順番に検査すれば、実際のＤＣ成分の搬送誤差に対応する中央値を算出することができる。
【０１６１】
＝＝＝その他の実施の形態＝＝＝
上記の実施形態は、主としてプリンタについて記載されているが、その中には、印刷装置、記録装置、液体の吐出装置、印刷方法、記録方法、液体の吐出方法、印刷システム、記録システム、コンピュータシステム、プログラム、プログラムを記憶した記憶媒体、印刷物の製造方法、等の開示が含まれていることは言うまでもない。
【０１６２】
また、一実施形態としてのプリンタ等を説明したが、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【０１６３】
＜境界の検査について＞
前述の実施形態では、補正用パターンの各境界の検査を、プリンタ製造工場の検査工程の検査者が行っている。しかし、プリンタを購入したユーザーが、プリンタにテストシートを印刷させて、補正用パターンの各境界の検査を行っても良い。  
なお、人間が補正用パターンの各境界の検査を行うのではなく、センサを用いても良い。例えば、テストシートをスキャナで読み取っても良い。また、プリンタのキャリッジ３１に設けられている光学センサ５４を用いて、コントローラ６０がテストシートの検査を行っても良い。
【０１６４】
＜補正用パターンの形状について１＞
前述の実施形態では、傾斜パターンＢ１と傾斜パターンＢ３は、パターンＢとして一体的に形成されていた。しかし、このような補正用パターンに限られるものではない。例えば、長方形パターンＢ２を形成せず、傾斜パターンＢ１と傾斜パターンＢ３とを分離して形成しても良い。
【０１６５】
＜補正用パターンの形状について２＞
前述の実施形態では、パターンＡとパターンＢとの間に、２つの境界（境界Ａ１Ｂ１及び境界Ａ２Ｂ１）が形成され、２つの境界において、２つのパターンの搬送方向上流・下流の関係が逆になっている。  
しかし、これに限られるものではない。例えば、パターンＡの逆台形パターンＡ２をなくして、パターンＡとパターンＢとの間の境界を１つにしても良い。また、パターンＣの台形パターンＣ２をなくして、パターンＢとパターンＣとの間の境界を１つにしても良い。このような場合であっても、２つのパターンの間の位置関係が変化したときに、白スジ又は黒スジの一方は発生するので、これに基づいて境界の状態を検査できる。
【０１６６】
＜補正用パターンの形状について３＞
前述の実施形態では、パターンＡとパターンＢの境界が搬送方向及び移動方向と交差する方向になっていた。しかし、このような補正用パターンに限られるものではない。
【０１６７】
図２８Ａは、別の実施形態の補正用パターンの説明図である。  
この補正用パターンのパターンＡは、ノズル♯７６〜ノズル♯８７によって２回のパスにより形成され、１６０／３６０インチの２４本のラスタラインから構成される。パターンＢは、前述の長方形パターンＢ２と同様に、ノズル♯１３〜ノズル♯７５によって２回のパスにより形成され、１２４本のラスタラインから構成される。パターンＣは、ノズル♯１〜ノズル♯１２によって２回のパスにより形成され、１６０／３６０インチの２４本のラスタラインから構成される。  
この補正用パターンでは、搬送方向上流側のノズルによって形成されたパターンＡと、搬送方向下流側のノズルによって形成されたパターンＢとの上部との間で、境界が形成される。また、この補正用パターンでは、搬送方向上流側のノズルによって形成されたパターンＢの下部と、搬送方向下流側のノズルによって形成されたパターンＣとの間で、境界が形成される。
【０１６８】
図２８Ｂは、この実施形態の９個の補正用パターンの説明図である。各補正用パターンのパターンＡとパターンＣとの間隔は、補正用パターンの番号に応じて異なっている。また、パターンＢの搬送方向の位置は、ＡＣ成分の搬送誤差によって、上下することになる。  
このような補正用パターンであっても、パターンＡとパターンＢとの間の境界が最適な補正用パターンを選択し、パターンＢとパターンＣとの間の境界が最適な補正用パターンを選択し、選択された補正用パターンの番号の中間値を算出すれば、その中間値はＤＣ成分の搬送誤差を示す値になる。なお、この場合、補正用パターン（−４）と補正用パターン（０）が選択されて、中間値が「−２」と算出され、この値に応じた補正値がプリンタのメモリに記憶されることになる。
【０１６９】
＝＝＝まとめ＝＝＝
（１）前述の実施形態では、搬送ローラの周長が１．２５インチであり、ノズル列の搬送方向の長さは０．７５インチ（１／１２０インチ×９０個）である。このため、搬送ローラの１回転分に相当する目標搬送量を補正するための補正用パターンを形成する場合、目標搬送量に応じた補正処理の前後で形成される２つのパターンは離れて形成されてしまう（図１０Ａ参照）。このため、２つのパターンに境界を形成することができず、２つのパターンの間隔を判断することができない。
【０１７０】
そこで、本実施形態では、プリンタのコントローラ６０は、まず、紙（媒体の一例）を搬送方向の所定の位置に搬送して、搬送方向上流側のノズル♯７６〜ノズル♯８７によってパターンＡ（第１パターンの一例）を形成する（図１０Ｂ、図１４、図１５、図１８参照）。次に、コントローラ６０は、ノズル列の搬送方向の長さよりも短い約０．６２５インチ相当の目標搬送量にて紙を搬送方向に搬送する（図１０Ｂ、図１４、図１８参照）。なお、このときの目標搬送量は、補正用パターンによってそれぞれ異なる。そして、コントローラ６０は、搬送方向下流側のノズル♯１〜ノズル♯１２によってパターンＡと境界を形成する傾斜パターンＢ１を形成するとともに、搬送方向上流側のノズル♯７６〜ノズル♯８７によって傾斜パターンＢ３を形成することにより、パターンＢを形成する（図１０Ｂ、図１４、図１６、図１８参照）。この後、コントローラ６０は、パターンＡを形成してからの総搬送量が約１．２５インチになるように、ノズル列の搬送方向の長さよりも短い約０．６２５インチ相当の目標搬送量にて紙を搬送方向に搬送する（図１０Ｂ、図１４、図１８参照）。そして、コントローラ６０は、搬送方向下流側のノズル♯１〜ノズル♯１２によって傾斜パターンＢ３と境界を形成するパターンＣを形成する（図１０Ｂ、図１４、図１７、図１８参照）。
【０１７１】
このように作成されたテストシートの補正用パターンには、パターンＡと傾斜パターンＢ１との間に境界Ａ１Ｂ１及び境界Ａ２Ｂ１が形成され、パターンＣと傾斜パターンＢ３との間に境界Ｃ１Ｂ３及び境界Ｃ２Ｂ３が形成される（図１４、図１９参照）。そして、このような境界の状態に基づいて、検査者は、ノズル列の搬送方向の長さよりも長い目標搬送量（搬送ローラの１回転分に相当する目標搬送量）にて紙を搬送したときに生じる搬送誤差を検出することができる（図１９、図２０Ｂ参照）。また、このような境界の状態に基づいて、検査者は、ノズル列の搬送方向の長さよりも長い目標搬送量（搬送ローラの１回転分に相当する目標搬送量）を補正するための補正値を決定することができる。
【０１７２】
（２）前述の実施形態は、搬送ローラを回転させて紙を搬送する場合であって、ノズル列の搬送方向の長さが搬送ローラ２３の周面よりも短いような場合に、特に有効である。  
但し、本実施形態の効果を得られるのは、これに限られるものではない。例えば、搬送ローラが円筒形状ではなく、ベルト状のものであっても良い。また、ノズル列の搬送方向の長さが、搬送ローラの周面以上の長さでも良い。このような場合であっても、ノズル列の搬送方向の長さよりも長い目標搬送量を補正するのに適した補正用パターンを形成することができる。
【０１７３】
（３）前述の実施形態では、補正の対象となる目標搬送量は、搬送ローラ２３の１回転分に相当している。これにより、ＡＣ成分の搬送誤差が生じる場合であっても、パターンＡとパターンＣとの位置関係が、パターンＡを形成するときの搬送ローラ２３の回転位置に影響されなくなる。このため、このような補正用パターンによれば、ＡＣ成分の搬送誤差が生じる場合であっても、ＤＣ成分の搬送誤差を補正するための補正値を決定することができる。  
但し、補正の対象となる目標搬送量は、これに限られるものではない。例えば、補正の対象となる目標搬送量を、搬送ローラ２３の１．５回転分にしても良い。このような場合でも、ＡＣ成分の搬送誤差が生じないのであれば、ＤＣ成分の搬送誤差を補正するための補正値を決定することができる。
【０１７４】
（４）前述の実施形態では、パターンＡを形成してからパターンＢを形成するまでに行われる搬送処理の搬送量は、搬送ローラ２３の半回転分に相当している。この結果、パターンＢを形成してからパターンＣを形成するまでに行われる搬送処理の搬送量も、搬送ローラ２３の半回転分に相当する。これにより、パターンＡとパターンＢの境界と、パターンＢとパターンＣの境界を、ほぼ同様な形状に形成することが可能になる。  
但し、パターンＡを形成してからパターンＢを形成するまでに行われる搬送処理の搬送量は、これに限られるものではない。例えば、パターンＡを形成してからパターンＢを形成するまでに行われる搬送処理の搬送量を、搬送ローラ２３の半回転分よりも多くしても良い。しかし、パターンＡの搬送方向の幅や、傾斜パターンＢ１の搬送方向の幅が短くなってしまい、境界Ａ１Ｂ１及び境界Ａ２Ｂ１の視認性が、境界Ｃ１Ｂ３及び境界Ｃ２Ｂ３の視認性よりも悪くなる。
【０１７５】
（５）前述の実施形態では、パターンＡを形成するノズルと、傾斜パターンＢ３を形成するノズルは、ともにノズル♯７６〜ノズル♯８７である。また、前述の実施形態では、傾斜パターンＢ１を形成するノズルと、パターンＣを形成するノズルは、ともにノズル♯１〜ノズル♯１２である。これにより、パターンＡとパターンＢの境界と、パターンＢとパターンＣの境界を、ほぼ同様な形状に形成することが可能になる。  
但し、これに限られるものではない。例えば、パターンＡを形成するノズルをノズル♯７６〜ノズル♯８７とし、傾斜パターンＢ３を形成するノズルをノズル♯７６〜ノズル♯９０としても良い。しかし、この場合、境界Ａ１Ｂ１及び境界Ａ２Ｂ１の視認性と、境界Ｃ１Ｂ３及び境界Ｃ２Ｂ３の視認性とが異なることになる。一方、本実施形態において図２６の丸５に示すように中央値を算出することを考慮すると、両者の視認性は均等であることが望ましい。
【０１７６】
（６）前述の実施形態では、パターンＡとパターンＢの境界及びパターンＢとパターンＣの境界は、ともに移動方向と交差する方向に形成されている（図１２Ｅ、図１２Ｆ、図１３、図１４参照）。これにより、ラスタラインの搬送方向の位置にばらつきが生じて、各パターンの内部でラスタライン同士の間隔が若干異なることがあっても、境界における黒スジや白スジの存在の判断を安定して行うことができる。  
但し、例えば図２８に示すように、境界が移動方向に沿っていても良い。このような場合であっても、ノズル列の搬送方向の長さよりも長い目標搬送量を補正する補正用パターンを形成することができる。しかし、この場合、各パターンを構成するラスタラインの間隔にばらつきが生じると、各パターンの内部で白スジや黒スジのように見える場所が生じるため、境界において黒スジや白スジの存在を判断することが困難になる。
【０１７７】
（７）前述の実施形態では、境界Ａ１Ｂ１及び境界Ａ２Ｂ１の方向と、境界Ｃ１Ｂ３及び境界Ｃ２Ｂ３の方向が、交差している（図１３、図１４参照）。これにより、搬送方向上流側のノズルと、搬送方向下流側のノズルとの間でインク吐出速度に差があっても、ＤＣ成分の搬送誤差を補正するための補正値を決定することができる。  
但し、例えば図２４Ａ及び図２４Ｂに示すように、パターンＡとパターンＢの境界の方向と、パターンＢとパターンＣの境界の方向とが平行であっても良い。このような場合であっても、搬送方向上流側のノズルと、搬送方向下流側のノズルとの間でインク吐出速度に差がなければ、ＤＣ成分の搬送誤差を補正するための補正値を決定することができる。
【０１７８】
（８）なお、前述の実施形態の全ての構成要素を含めば、全ての効果を奏することができるので、望ましい。但し、ノズル列の搬送方向の長さよりも長い目標搬送量を補正するための補正用パターンを形成するのであれば、必ずしも前述の実施形態の全ての構成要素が必要なわけではない。
【０１７９】
（９）前述の実施形態では、テストシートを印刷した後、補正用パターンの上部の境界と、補正用パターンの下部の境界とに基づいて、目標搬送量に対する補正値が決定される。これにより、ノズル列の搬送方向の長さよりも長い目標搬送量を補正するための補正値を決定することができる。
【０１８０】
（１０）前述の実施形態では、コントローラ６０が複数の補正用パターンを形成し、検査者が、最適な境界Ａ１Ｂ１及び境界Ａ２Ｂ１の補正用パターンを選択し、最適な境界Ｃ１Ｂ３及び境界Ｃ２Ｂ３の補正用パターンを選択することにより、補正値が決定される（図２５参照）。  
但し、補正値の決定方法は、これに限られるものではない。例えば、ＡＣ成分の搬送誤差が生じないのであれば、補正用パターン（０）のみに基づいて、補正値を決定することもできる。具体的には、補正用パターン（０）が図２０Ａに示すような境界の状態であれば、目標搬送量よりも多い搬送量で紙が搬送されていることが分かるので、目標搬送量を減らすような補正値を決定することができる。
【０１８１】
（１１）前述の実施形態では、補正用パターンの番号は、所定の補正値と対応付けられている。そして、前述の実施形態では、Ｓ１２２で選択された補正用パターンの番号と、Ｓ１２４で選択された補正用パターンの番号との中央値を算出し（図２５参照）、この中央値に基づいて補正値を決定している。これにより、たとえＡＣ成分の搬送誤差や、インク吐出速度に差があっても、ＤＣ成分の搬送誤差を補正するための補正値を決定することができる。なお、必ずしも中央値に限られるものではない。例えば、選択された補正用パターンの番号の間の値であれば、ある程度、ＤＣ成分の搬送誤差を補正することが可能である。
【０１８２】
（１２）前述の実施形態では、まず左の補正用パターンから順に、補正用パターンの上部の境界を検査し、その後、右の補正用パターンから順に、補正用パターンの下部の境界を検査している（図２５、図２６参照）。仮に、図２７のように、補正用パターンの上部及び下部の境界の判断順序の方向を一致させると、選択される補正用パターンが左寄りになり、実際のＤＣ成分の搬送誤差に対してマイナス側に大きく評価されてしまうからである。  
但し、検査の順序は、これに限られるものではない。図２７のように検査を行っても、ＤＣ成分の搬送誤差を補正することが可能である。
【０１８３】
（１３）上記のように補正値を決定した後、そのテストシートを印刷したプリンタのメモリに補正値に関する情報が記憶される。そして、そのプリンタを購入したユーザー下で印刷を行うとき、コントローラ６０は、目標搬送量を補正値に基づいて補正し、補正された目標搬送量に応じて搬送ローラを回転させて、紙を搬送する。これにより、補正前の目標搬送量に応じた搬送量にて紙を搬送することができるので、高品質な印刷を行うことができる。
【０１８４】
（１４）前述の実施形態では、プリンタ製造工場の検査工程において、プリンタと検査用コンピュータとが接続され、プリンタによりテストシートが印刷され、検査者はテストシートを検査して検査結果を検査用コンピュータに入力し、検査用コンピュータはプリンタのメモリに補正値を記憶している。但し、検査用コンピュータにプリンタを接続せずにプリンタ単体でテストシートを印刷でき、プリンタに検査結果を直接入力できるのであれば、必ずしもプリンタを検査用コンピュータに接続する必要はない。  
また、プリンタ製造工場でテストシートを印刷するのではなく、プリンタを購入したユーザー下でテストシートが印刷され、補正値が決定されても良い。
【０１８５】
（１５）なお、前述のテストシート自体も、ノズル列の搬送方向の長さよりも長い目標搬送量に応じて搬送したときの搬送誤差を検出できるという効果を奏するものである。
【図面の簡単な説明】
【０１８６】
【図１】印刷システムの全体構成の説明図である。
【図２】プリンタ１の全体構成のブロック図である。
【図３】図３Ａは、プリンタ１の全体構成の概略図である。また、図３Ｂは、プリンタ１の全体構成の横断面図である。
【図４】印刷時の処理のフロー図である。
【図５】搬送ユニット２０の構成の説明図である。
【図６】ＡＣ成分の搬送誤差の説明用グラフである。
【図７】搬送誤差を補正するための補正値の設定処理のフロー図である。
【図８】参考例のテストシートの印刷の説明図である。
【図９】ヘッドのノズル配置の説明図である。
【図１０】図１０Ａは、ヘッド長さがローラ周面長さよりも短いことによる問題の説明図である。図１０Ｂは、この問題に対する本実施形態の対策の説明図である。
【図１１】図１１Ａは、各パターン形成時のＡＣ成分の搬送誤差の説明図である。図１１Ｂは、ＡＣ成分の搬送誤差によるパターンＢの形成位置の影響の説明図である。
【図１２】図１２Ａ及び図１２Ｂは、２つのブロックパターンの境界付近の説明図である。図１２Ｃ及び図１２Ｄは、ラスタラインの間隔にばらつきが生じたときの境界付近の説明図である。図１２Ｅ及び図１２Ｆは、本実施形態の対策の説明図である。
【図１３】本実施形態のテストシートの説明図である。
【図１４】本実施形態の補正用パターンの説明図である。
【図１５】パターンＡの印刷方法の説明図である。
【図１６】パターンＢの印刷方法の説明図である。
【図１７】パターンＣの印刷方法の説明図である。
【図１８】テストシートの印刷方法の説明図である。
【図１９】搬送誤差がＤＣ成分及びＡＣ成分とも無い場合の補正用パターンの状態の説明図である。
【図２０】図２０Ａは、目標搬送量よりも多い搬送量にて紙が搬送される場合の補正用パターン（０）の状態の説明図である。図２０Ｂは、この場合の９個の補正用パターンの状態の説明図である。
【図２１】図２１Ａは、ＡＣ成分の誤差が生じた場合の補正用パターン（０）の状態の説明図である。図２１Ｂは、この場合の９個の補正用パターンの状態の説明図である。
【図２２】各ノズルのインク吐出速度Ｖｍの説明図である。
【図２３】図２３Ａは、インク吐出速度Ｖｍが異なる場合の補正用パターン（０）の状態の説明図である。図２３Ｂは、この場合の９個の補正用パターンの状態の説明図である。
【図２４】図２４Ａは、比較例の補正用パターンの説明図である。図２４Ｂは、比較例の９個の補正用パターンの状態の説明図である。
【図２５】テストシートの検査方法のフロー図である。
【図２６】テストシートの検査手順の説明図である。
【図２７】比較例の検査手順の説明図である。
【図２８】図２８Ａは、別の実施形態の補正用パターンの説明図である。図２８Ｂは、この実施形態の９個の補正用パターンの説明図である。
【符号の説明】
【０１８７】
１  プリンタ、
２０  搬送ユニット、２１  給紙ローラ、２２  搬送モータ（ＰＦモータ）、
２３  搬送ローラ、２４  プラテン、２５  排紙ローラ、
３０  キャリッジユニット、３１  キャリッジ、
３２  キャリッジモータ（ＣＲモータ）、
４０  ヘッドユニット、４１  ヘッド、
５０  検出器群、５１  リニアエンコーダ、５２  ロータリーエンコーダ、
５２１  スケール、  ５２２  検出部、
５３  紙検出センサ、５４  光学センサ、
６０  コントローラ、６１  インターフェース部、６２  ＣＰＵ、
６３  メモリ、６４  ユニット制御回路
１００  印刷システム、１１０  コンピュータ、１２０  表示装置、
１３０  入力装置、１４０  記録再生装置、
Ａ１  台形パターン、Ａ２  逆台形パターン、
Ｂ１  傾斜パターン、Ｂ２  長方形パターン、Ｂ３  傾斜パターン、
Ｃ１  逆台形パターン、Ｃ２  台形パターン
【図１】
2007062162.tif 000003
【図２】
2007062162.tif 000004
【図３】
2007062162.tif 000005
【図４】
2007062162.tif 000006
【図５】
2007062162.tif 000007
【図６】
2007062162.tif 000008
【図７】
2007062162.tif 000009
【図８】
2007062162.tif 000010
【図９】
2007062162.tif 000011
【図１０】
2007062162.tif 000012
【図１１】
2007062162.tif 000013
【図１２】
2007062162.tif 000014
【図１４】
2007062162.tif 000015
【図１５】
2007062162.tif 000016
【図１６】
2007062162.tif 000017
【図１７】
2007062162.tif 000018
【図１８】
2007062162.tif 000019
【図１９】
2007062162.tif 000020
【図２２】
2007062162.tif 000021
【図２５】
2007062162.tif 000022
【図２８】
2007062162.tif 000023
【図１３】
2007062162.tif 000024
【図２０】
2007062162.tif 000025
【図２１】
2007062162.tif 000026
【図２３】
2007062162.tif 000027
【図２４】
2007062162.tif 000028
【図２６】
2007062162.tif 000029
【図２７】
2007062162.tif 000030